(57)【要約】【課題】スループットを高めることが可能な無線通信システムを提供すること。【解決手段】無線通信システム１は、移動局４１と基地局３１と中継装置２１とを備える。基地局３１は、第１のＬＡ（Ｌｉｎｋ  Ａｇｇｒｅｇａｔｉｏｎ）通信を実行可能に構成される。基地局３１は、状態が、第１のＬＡ通信を実行可能に移動局４１と接続されているＬＡ接続状態であるか否かを表す状態通知を中継装置２１へ送信し、基地局の状態に基づいて第１のＬＡ通信を実行するように基地局３１を制御する。中継装置２１は、第２のＬＡ通信を実行可能に構成される。中継装置２１は、状態通知に基づいて第２のＬＡ通信を実行するように中継装置２１を制御する。【選択図】図１
2015082730.tif 000002
【特許請求の範囲】
【請求項１】
移動局と、当該移動局と無線により通信可能に構成された基地局と、当該基地局よりも上位側に配置され且つ当該基地局と通信可能に構成された中継装置と、を備える無線通信システムであって、
前記基地局は、
前記基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行する第１の通信手段と、
前記基地局の状態が、前記第１のＬＡ通信を実行可能に前記移動局と接続されているＬＡ接続状態であるか否かを判定する第１の判定手段と、
前記基地局の状態が前記ＬＡ接続状態であるか否かを表す状態通知を前記中継装置へ送信する第１の送信手段と、
前記基地局の状態が前記ＬＡ接続状態であるか否かに基づいて前記第１のＬＡ通信を実行するように前記第１の通信手段を制御する第１の制御手段と、
を備え、
前記中継装置は、
前記中継装置と前記移動局とを接続する複数の通信路へパケットを分配することにより当該パケットを伝送する通信である第２のＬＡ通信を実行する第２の通信手段と、
前記基地局から前記状態通知を受信する第２の受信手段と、
前記状態通知に基づいて前記第２のＬＡ通信を実行するように前記第２の通信手段を制御する第２の制御手段と、
を備える、無線通信システム。
【請求項２】
請求項１に記載の無線通信システムであって、
前記第１の送信手段は、前記基地局の状態が前記ＬＡ接続状態であると判定された場合、当該基地局の状態が当該ＬＡ接続状態であることを表す前記状態通知を前記中継装置へ送信し、
前記第１の制御手段は、前記基地局の状態が前記ＬＡ接続状態であると判定された場合、前記第１のＬＡ通信を実行するように前記第１の通信手段を制御し、
前記第２の制御手段は、前記基地局の状態が前記ＬＡ接続状態であることを前記状態通知が示す場合、前記第２のＬＡ通信を実行しないように前記第２の通信手段を制御する、無線通信システム。
【請求項３】
請求項１又は請求項２に記載の無線通信システムであって、
前記第１の送信手段は、前記基地局の状態が前記ＬＡ接続状態でないと判定された場合、当該基地局の状態が当該ＬＡ接続状態でないことを表す前記状態通知を前記中継装置へ送信し、
前記第１の制御手段は、前記基地局の状態が前記ＬＡ接続状態でないと判定された場合、前記第１のＬＡ通信を実行しないように前記第１の通信手段を制御し、
前記第２の制御手段は、前記基地局の状態が前記ＬＡ接続状態でないことを前記状態通知が示す場合、前記第２のＬＡ通信を実行するように前記第２の通信手段を制御する、無線通信システム。
【請求項４】
請求項１乃至請求項３のいずれか一項に記載の無線通信システムであって、
前記中継装置は、
前記第２のＬＡ通信を実行している場合において、前記基地局の状態が前記ＬＡ接続状態であることを示す前記状態通知が受信されたとき、前記移動局によって未だ正しく受信されておらず且つ当該移動局へ送信するために保持されている未送達パケットを前記基地局へ転送する第２の転送手段を備え、
前記第１の通信手段は、
前記第１のＬＡ通信を実行することにより、前記中継装置から転送された前記未送達パケットを前記移動局へ送信する、無線通信システム。
【請求項５】
請求項４に記載の無線通信システムであって、
前記中継装置は、
前記第２のＬＡ通信を実行している場合において、前記移動局が宛先として設定されたパケットを受信したとき、当該パケットが前記移動局によって正しく受信されたことを表す確認応答を、当該パケットに設定された送信元へ送信する第２の送信手段を備え、
前記第１の通信手段は、
前記未送達パケットを、パケットに対する確認応答が既に送信されていることを表すフラグ情報とともに前記移動局へ送信し、
前記移動局は、
前記パケットが前記第１のＬＡ通信によって受信され且つ当該パケットとともに前記フラグ情報が受信された場合、及び、前記パケットが前記第２のＬＡ通信によって受信された場合、当該パケットが前記移動局によって正しく受信されたことを表す確認応答を外部へ送信せず、前記パケットが前記第１のＬＡ通信によって受信され且つ当該パケットとともに前記フラグ情報が受信されなかった場合、当該確認応答を当該パケットに設定された送信元へ送信する第３の送信手段を備える、無線通信システム。
【請求項６】
請求項４又は請求項５に記載の無線通信システムであって、
前記第２の通信手段は、
前記中継装置と前記移動局とを接続する前記複数の通信路のそれぞれとして、所定の通信プロトコルに従ったコネクションを確立し、当該確立されたコネクションを用いることにより前記第２のＬＡ通信を実行し、
前記第２のＬＡ通信を実行している場合において、前記基地局の状態が前記ＬＡ接続状態であることを示す前記状態通知が受信されたとき、前記確立されたコネクションを解放する、無線通信システム。
【請求項７】
請求項１乃至請求項３のいずれか一項に記載の無線通信システムであって、
前記第２の通信手段は、
前記中継装置と前記移動局とを接続する前記複数の通信路のそれぞれとして、所定の通信プロトコルに従ったコネクションを確立し、当該確立されたコネクションを用いることにより前記第２のＬＡ通信を実行し、
前記確立された複数のコネクションの少なくとも１つは、当該コネクションが有する経路が変化した場合であっても、前記移動局に割り当てられるＩＰ（Ｉｎｔｅｒｎｅｔ  Ｐｒｏｔｏｃｏｌ）アドレスを維持可能なアドレス維持コネクションであり、
前記第２の転送手段は、
前記第２のＬＡ通信を実行している場合において、前記基地局の状態が前記ＬＡ接続状態であることを示す前記状態通知が受信されたとき、前記移動局によって未だ正しく受信されておらず且つ当該移動局へ送信するために保持されている未送達パケットを、前記アドレス維持コネクションを介して前記移動局へ送信する、無線通信システム。
【請求項８】
請求項７に記載の無線通信システムであって、
前記中継装置は、
前記第２のＬＡ通信を実行している場合において、前記移動局が宛先として設定されたパケットを受信したとき、当該パケットが前記移動局によって正しく受信されたことを表す確認応答を、当該パケットに設定された送信元へ送信する第２の送信手段を備え、
前記移動局は、
前記パケットが前記コネクションを介して受信されなかった場合、当該パケットが前記移動局によって正しく受信されたことを表す確認応答を当該パケットに設定された送信元へ送信し、前記パケットが前記コネクションを介して受信された場合、当該確認応答を外部へ送信しない第３の送信手段を備える、無線通信システム。
【請求項９】
請求項７又は請求項８に記載の無線通信システムであって、
前記第２の通信手段は、
前記第２のＬＡ通信を実行している場合において、前記基地局の状態が前記ＬＡ接続状態であることを示す前記状態通知が受信されたとき、前記コネクションのうちの、前記アドレス維持コネクション以外のコネクションを解放する、無線通信システム。
【請求項１０】
請求項１乃至請求項９のいずれか一項に記載の無線通信システムであって、
前記基地局は、
前記第１のＬＡ通信を実行している場合において、前記基地局の状態が前記ＬＡ接続状態でないと判定されたとき、前記移動局によって未だ正しく受信されておらず且つ当該移動局へ送信するために保持されている未送達パケットを前記中継装置へ転送する第１の転送手段を備え、
前記第２の通信手段は、
前記第２のＬＡ通信を実行することにより、前記基地局から転送された前記未送達パケットを前記移動局へ送信する、無線通信システム。
【請求項１１】
請求項１０に記載の無線通信システムであって、
前記中継装置は、
前記基地局から前記未送達パケットとしてのパケットが受信された場合、及び、前記第２のＬＡ通信を実行しており且つ前記移動局が宛先として設定されたパケットを受信した場合、当該パケットが当該移動局によって正しく受信されたことを表す確認応答を、当該パケットに設定された送信元へ送信する第２の送信手段を備え、
前記移動局は、
前記パケットが前記第１のＬＡ通信によって受信された場合、前記確認応答を当該パケットに設定された送信元へ送信し、前記パケットが前記第２のＬＡ通信によって受信された場合、当該確認応答を外部へ送信しない第３の送信手段を備える、無線通信システム。
【請求項１２】
移動局と、当該移動局と無線により通信可能に構成された基地局と、当該基地局よりも上位側に配置され且つ当該基地局と通信可能に構成された中継装置と、を備える無線通信システムに適用される無線通信方法であって、
前記基地局が、
前記基地局の状態が、当該基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行可能に当該移動局と接続されているＬＡ接続状態であるか否かを判定し、
前記基地局の状態が前記ＬＡ接続状態であるか否かを表す状態通知を前記中継装置へ送信し、
前記基地局の状態が前記ＬＡ接続状態であるか否かに基づいて前記第１のＬＡ通信を実行するように当該基地局を制御し、
前記中継装置が、
前記基地局から前記状態通知を受信し、
前記状態通知に基づいて、前記中継装置と前記移動局とを接続する複数の通信路へパケットを分配することにより当該パケットを伝送する通信である第２のＬＡ通信を実行するように前記中継装置を制御する、
無線通信方法。
【請求項１３】
移動局と、当該移動局と無線により通信可能に構成された基地局と、当該基地局よりも上位側に配置され且つ当該基地局と通信可能に構成された中継装置と、を備える無線通信システムの前記基地局であって、
前記基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行する第１の通信手段と、
前記基地局の状態が、前記第１のＬＡ通信を実行可能に前記移動局と接続されているＬＡ接続状態であるか否かを判定する第１の判定手段と、
前記基地局の状態が前記ＬＡ接続状態であるか否かを表す状態通知を前記中継装置へ送信する第１の送信手段と、
前記基地局の状態が前記ＬＡ接続状態であるか否かに基づいて前記第１のＬＡ通信を実行するように前記第１の通信手段を制御する第１の制御手段と、
を備える、基地局。
【請求項１４】
移動局と、当該移動局と無線により通信可能に構成された基地局と、当該基地局よりも上位側に配置され且つ当該基地局と通信可能に構成された中継装置と、を備える無線通信システムの前記中継装置であって、
前記中継装置と前記移動局とを接続する複数の通信路へパケットを分配することにより当該パケットを伝送する通信である第２のＬＡ通信を実行する第２の通信手段と、
前記基地局の状態が、当該基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行可能に当該基地局と当該移動局とが接続されているＬＡ接続状態であるか否かを表す状態通知を当該基地局から受信する第２の受信手段と、
前記状態通知に基づいて前記第２のＬＡ通信を実行するように前記第２の通信手段を制御する第２の制御手段と、
を備える、中継装置。
【請求項１５】
移動局と、当該移動局と無線により通信可能に構成された基地局と、当該基地局よりも上位側に配置され且つ当該基地局と通信可能に構成された中継装置と、を備える無線通信システムの前記移動局であって、
前記基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信によって当該パケットが受信され且つ当該パケットとともに当該パケットに対する確認応答が既に送信されていることを表すフラグ情報が受信された場合、及び、前記中継装置と前記移動局とを接続する複数の通信路へパケットを分配することにより当該パケットを伝送する通信である第２のＬＡ通信によって前記パケットが受信された場合、当該パケットが前記移動局によって正しく受信されたことを表す確認応答を外部へ送信せず、前記パケットが前記第１のＬＡ通信によって受信され且つ当該パケットとともに前記フラグ情報が受信されなかった場合、当該確認応答を当該パケットに設定された送信元へ送信する第３の送信手段を備える、移動局。
【発明の詳細な説明】
【技術分野】
【０００１】
本発明は、無線通信システム、無線通信方法、基地局、中継装置、及び、移動局に関する。
【背景技術】
【０００２】
移動局と、当該移動局と無線により通信可能に構成された基地局と、を備える無線通信システムが知られている。この種の無線通信システムとして、例えば、第１〜第４の無線通信システムが知られている（例えば、特許文献１、特許文献２、非特許文献１、非特許文献２、又は、非特許文献３を参照）。
【０００３】
第１の無線通信システムは、第１の基地局と移動局とを結ぶ第１の経路を有する通信路と、第２の基地局と移動局とを結ぶ第２の経路を有する通信路と、に対してＬＡ通信を適用する。ＬＡは、Ｌｉｎｋ  Ａｇｇｒｅｇａｔｉｏｎの略記である。ＬＡ通信は、複数の通信路へパケットを分配することによりパケットを伝送する通信である。第１の無線通信システムは、基地局よりも上位側に配置された中継装置が、複数の通信路へパケットを分配することによって、ＬＡ通信を実行する。
【０００４】
第２の無線通信システムは、基地局と第１の移動局とを直接に結ぶ第１の経路を有する通信路と、基地局と第１の移動局とを、第２の移動局を経由して結ぶ第２の経路を有する通信路と、に対してＬＡ通信を適用する。
【０００５】
第３の無線通信システムは、複数の経路のそれぞれにてＴＣＰ（Ｔｒａｎｓｍｉｓｓｉｏｎ  Ｃｏｎｔｒｏｌ  Ｐｒｏｔｏｃｏｌ）コネクションを確立し、複数のＴＣＰコネクションに対してＬＡ通信を適用する。
第４の無線通信システムは、フェムト基地局と移動局との間の複数の無線通信路に対してＬＡ通信を適用する。
【先行技術文献】
【特許文献】
【０００６】
【特許文献１】特開２０１２−１３４８１７号公報
【特許文献２】特表２０１３−５０２１５２号公報
【非特許文献】
【０００７】
【非特許文献１】長谷川  洋平、村瀬  勉、「ＴＣＰの特性を考慮した複数経路通信方法の提案と評価」、信学技報、電子情報通信学会、２００４年３月、第１０３巻、第６９２（ＩＮ２００３  ２４９−３３６）号、ｐ．１７５−１７８
【非特許文献２】川崎  健、外３名、「フェムト基地局によるＬＴＥ−ＷＬＡＮリンクアグリゲーションの評価」、２０１３年電子情報通信学会総合大会  通信講演論文集１、電子情報通信学会、２０１３年３月、Ｂ−１７−２３、ｐ．６６７
【非特許文献３】富士通株式会社、「ＷＴＰ（ワイヤレステクノロジーパーク）２０１３  富士通ブース出展のご案内」、［ｏｎｌｉｎｅ］、２０１３年５月、［平成２５年６月１９日検索］、インターネット＜ＵＲＬ：http://jp.fujitsu.com/telecom/carrier/events/pdf/wtp2013.pdf＞
【発明の概要】
【発明が解決しようとする課題】
【０００８】
ところで、第１の無線通信システムにおける基地局に、第４の無線通信システムにおける基地局を適用することにより、無線通信システムを構成することが考えられる。この場合において、基地局と移動局とが複数の無線通信路により接続されている場合、基地局は、第１のＬＡ通信を実行可能である。第１のＬＡ通信は、基地局が複数の無線通信路へパケットを分配することによりパケットを伝送する通信である。
【０００９】
更に、この場合、中継装置と基地局との間の区間が同一であり且つ基地局と移動局との間の区間が異なる複数の通信路に対して、中継装置は、第２のＬＡ通信を実行可能である。第２のＬＡ通信は、中継装置が複数の通信路へパケットを分配することによりパケットを伝送する通信である。即ち、この場合、無線通信システムは、第１のＬＡ通信及び第２のＬＡ通信の両方を実行可能である。
【００１０】
ところで、基地局は、基地局と移動局との間の無線通信路の状態（例えば、無線通信路の利用率、伝送速度、又は、誤り率等）を表す情報を迅速に取得することができる。従って、基地局は、取得された情報に基づいて、複数の無線通信路へのパケットの分配を適切に制御することができる。このため、基地局が第１のＬＡ通信を実行する場合におけるスループットは、中継装置が第２のＬＡ通信を実行する場合におけるスループットよりも高い。スループットは、単位時間あたりに移動局へ伝送されるデータ量である。
【００１１】
しかしながら、中継装置は、基地局と移動局とが第１のＬＡ通信を実行可能に接続されているか否かを認識することができない。このため、無線通信システムは、第１のＬＡ通信を実行可能である場合においても、第１のＬＡ通信を実行することなく、第２のＬＡ通信を実行してしまうことがある。即ち、無線通信システムは、第１のＬＡ通信と第２のＬＡ通信とを適切に切り替えて実行することができない。このため、スループットを十分に高めることができない場合が生じるという課題があった。
【００１２】
そこで、本発明の目的の一つは、上述した課題である、スループットを十分に高めることができない場合が生じること、を解決することが可能な無線通信システムを提供することにある。
【００１３】
なお、上記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【００１４】
かかる目的を達成するため無線通信システムは、移動局と、当該移動局と無線により通信可能に構成された基地局と、当該基地局よりも上位側に配置され且つ当該基地局と通信可能に構成された中継装置と、を備える。
【００１５】
更に、上記基地局は、第１の通信手段と、第１の判定手段と、第１の送信手段と、第１の制御手段と、を備える。第１の通信手段は、上記基地局と上記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行する。第１の判定手段は、上記基地局の状態が、上記第１のＬＡ通信を実行可能に上記移動局と接続されているＬＡ接続状態であるか否かを判定する。第１の送信手段は、上記基地局の状態が上記ＬＡ接続状態であるか否かを表す状態通知を上記中継装置へ送信する。第１の制御手段は、上記基地局の状態が上記ＬＡ接続状態であるか否かに基づいて上記第１のＬＡ通信を実行するように上記第１の通信手段を制御する。
【００１６】
上記中継装置は、第２の通信手段と、第２の受信手段と、第２の制御手段と、を備える。第２の通信手段は、上記中継装置と上記移動局とを接続する複数の通信路へパケットを分配することにより当該パケットを伝送する通信である第２のＬＡ通信を実行する。第２の受信手段は、上記基地局から上記状態通知を受信する。第２の制御手段は、上記状態通知に基づいて上記第２のＬＡ通信を実行するように上記第２の通信手段を制御する。
【００１７】
また、移動局は、移動局と、当該移動局と無線により通信可能に構成された基地局と、当該基地局よりも上位側に配置され且つ当該基地局と通信可能に構成された中継装置と、を備える無線通信システムの上記移動局である。
【００１８】
更に、この移動局は、第３の送信手段を備える。第３の送信手段は、第１のＬＡ通信によってパケットが受信され且つフラグ情報が受信された場合、当該パケットが上記移動局によって正しく受信されたことを表す確認応答を外部へ送信しない。フラグ情報は、上記パケットとともに当該パケットに対する確認応答が既に送信されていることを表す。第１のＬＡ通信は、上記基地局と上記移動局とを接続する複数の無線通信路へパケットを分配することにより当該パケットを伝送する通信である。
【００１９】
更に、第３の送信手段は、第２のＬＡ通信によって上記パケットが受信された場合、当該パケットが上記移動局によって正しく受信されたことを表す確認応答を外部へ送信しない。第２のＬＡ通信は、上記中継装置と上記移動局とを接続する複数の通信路へパケットを分配することにより当該パケットを伝送する通信である。
加えて、第３の送信手段は、上記パケットが上記第１のＬＡ通信によって受信され且つ当該パケットとともに上記フラグ情報が受信されなかった場合、当該確認応答を当該パケットに設定された送信元へ送信する。
【発明の効果】
【００２０】
開示の無線通信システムによれば、スループットを高めることができる。
【図面の簡単な説明】
【００２１】
【図１】第１実施形態の一例としての無線通信システムの構成を表す図である。
【図２】第１実施形態の一例としての中継装置の構成を表す図である。
【図３】第１実施形態の一例としての基地局＃１の構成を表す図である。
【図４】第１実施形態の一例としての基地局＃２の構成を表す図である。
【図５】第１実施形態の一例としての基地局＃３の構成を表す図である。
【図６】第１実施形態の一例としての移動局の構成を表す図である。
【図７】第１実施形態の一例としての基地局＃１の機能を表すブロック図である。
【図８】第１実施形態の一例としての状態通知を概念的に示した説明図である。
【図９】第１実施形態の一例としての中継装置の機能を表すブロック図である。
【図１０】第１実施形態の一例としての、サブコネクションのトランスポート層におけるプロトコルスタックを概念的に示した説明図である。
【図１１】第１実施形態の一例としての移動局の機能を表すブロック図である。
【図１２】第１実施形態の一例としての無線通信システムの作動を表すシーケンス図である。
【図１３】第１実施形態の一例としての基地局＃１が実行する接続判定処理を表すフローチャートである。
【図１４】第１実施形態の一例としての中継装置が実行する通信状態制御処理を表すフローチャートである。
【図１５】第１実施形態の一例としての中継装置が実行するパケット送信処理を表すフローチャートである。
【図１６】第１実施形態の一例としての移動局が実行するＡＣＫ送信処理を表すフローチャートである。
【図１７】第１実施形態の一例としての基地局＃１が実行する無線通信処理を表すフローチャートである。
【図１８】第２実施形態の一例としての基地局＃１の機能を表すブロック図である。
【図１９】第２実施形態の一例としての中継装置の機能を表すブロック図である。
【図２０】第２実施形態の一例としての無線通信システムの作動を表すシーケンス図である。
【図２１】第２実施形態の一例としての基地局＃１が実行する接続判定処理を表すフローチャートである。
【図２２】第３実施形態の一例としての中継装置の機能を表すブロック図である。
【図２３】第３実施形態の一例としての無線通信システムの作動を表すシーケンス図である。
【図２４】第３実施形態の一例としての中継装置が実行する通信状態制御処理を表すフローチャートである。
【発明を実施するための形態】
【００２２】
上述した課題の少なくとも１つに対処するため、以下、本発明に係る、無線通信システム、無線通信方法、基地局、中継装置、及び、移動局の各実施形態について図１乃至図２４を参照しながら説明する。
【００２３】
＜第１実施形態＞
（概要）
第１実施形態に係る無線通信システムは、移動局と、当該移動局と無線により通信可能に構成された基地局と、当該基地局よりも上位側に配置され且つ当該基地局と通信可能に構成された中継装置と、を備える。基地局は、基地局と移動局とを接続する複数の無線通信路へパケットを分配することにより当該パケットを伝送する通信である第１のＬＡ（Ｌｉｎｋ  Ａｇｇｒｅｇａｔｉｏｎ）通信を実行可能に構成される。
【００２４】
基地局は、基地局の状態が、第１のＬＡ通信を実行可能に移動局と接続されているＬＡ接続状態であるか否かを判定する。更に、基地局は、基地局の状態がＬＡ接続状態であるか否かを表す状態通知を中継装置へ送信する。基地局は、基地局の状態がＬＡ接続状態であるか否かに基づいて第１のＬＡ通信を実行するように当該基地局を制御する。
【００２５】
中継装置は、中継装置と移動局とを接続する複数の通信路へパケットを分配することにより当該パケットを伝送する通信である第２のＬＡ通信を実行可能に構成される。中継装置は、基地局からの状態通知に基づいて第２のＬＡ通信を実行するように中継装置を制御する。
【００２６】
上記構成によれば、基地局の状態がＬＡ接続状態である場合、基地局の状態がＬＡ接続状態であることを表す状態通知が基地局から中継装置へ送信される。これにより、中継装置は、基地局が移動局との間で第１のＬＡ通信を実行可能であることを認識できる。更に、この場合、中継装置は、第２のＬＡ通信を実行しない。一方、基地局は、第１のＬＡ通信を実行する。
【００２７】
従って、例えば、基地局による第１のＬＡ通信と、中継装置による第２のＬＡ通信と、の両方が実行可能な場合において、無線通信システムは、第１のＬＡ通信のみを実行することができる。この結果、無線通信システムが第２のＬＡ通信を実行する場合と比較して、単位時間あたりに移動局へ伝送されるデータ量であるスループットを高めることができる。
【００２８】
以下、第１実施形態に係る無線通信システムについて詳細に説明する。
（構成）
図１に示したように、第１実施形態に係る無線通信システム１は、サーバ装置１１と、中継装置２１と、複数の基地局３１，３２，３３，…と、移動局４１と、を備える。サーバ装置１１は、Ｓｅｒｖｅｒ  Ｄｅｖｉｃｅ（ＳＤ）１１とも表記される。中継装置２１は、Ｒｅｌａｙ  Ｄｅｖｉｃｅ（ＲＤ）２１とも表記される。
【００２９】
基地局３１は、Ｂａｓｅ  Ｓｔａｔｉｏｎ（ＢＳ）３１とも表記される。基地局３２，３３も基地局３１と同様である。また、基地局３１は、基地局＃１（ＢＳ＃１）とも表記される。同様に、基地局３２は、基地局＃２（ＢＳ＃２）とも表記される。同様に、基地局３３は、基地局＃３（ＢＳ＃３）とも表記される。移動局４１は、Ｍｏｂｉｌｅ  Ｓｔａｔｉｏｎ（ＭＳ）４１とも表記される。
なお、基地局３１，３２，３３，…の数は、４つ以上であってもよい。また、サーバ装置１１の数及び移動局４１の数のそれぞれは、２つ以上であってもよい。
【００３０】
無線通信システム１は、基地局３１，３２，３３，…と移動局４１との間で、複数の無線通信方式に従った複数の無線通信をそれぞれ行なう。複数の無線通信方式は、第１の無線通信方式と第２の無線通信方式とを含む。本例では、第１の無線通信方式は、ＬＴＥ（Ｌｏｎｇ  Ｔｅｒｍ  Ｅｖｏｌｕｔｉｏｎ）である。本例では、第２の無線通信方式は、無線ＬＡＮ（Ｌｏｃａｌ  Ａｒｅａ  Ｎｅｔｗｏｒｋ）方式（例えば、ＩＥＥＥ  ８０２．１１シリーズ、又は、ＩＥＥＥ  ８０２．１５シリーズのいずれか）である。ＩＥＥＥは、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓの略記である。
【００３１】
なお、無線通信システム１は、３つ以上の無線通信方式に従って、基地局と移動局との間で無線通信を行なってもよい。また、無線通信システム１は、無線通信方式として、他の無線通信方式に従った通信を行なうように構成されていてもよい。例えば、他の無線通信方式は、ＬＴＥ−Ａｄｖａｎｃｅｄ、ＷｉＭＡＸ、３Ｇ、２Ｇ、ＧＳＭ（登録商標）、ＥＤＧＥ、Ｗ−ＣＤＭＡ、ＵＭＴＳ、ｃｄｍａＯｎｅ、又は、ＣＤＭＡ２０００等である。
【００３２】
ＷｉＭＡＸは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓの略記である。３Ｇは、３ｒｄ  Ｇｅｎｅｒａｔｉｏｎの略記である。２Ｇは、２ｎｄ  Ｇｅｎａｒａｔｉｏｎの略記である。ＧＳＭ（登録商標）は、Ｇｌｏｂａｌ  Ｓｙｓｔｅｍ  ｆｏｒ  Ｍｏｂｉｌｅ  Ｃｏｍｍｕｎｉｃａｔｉｏｎｓの略記である。ＥＤＧＥは、Ｅｎｈａｎｃｅｄ  Ｄａｔａ  Ｒａｔｅｓ  ｆｏｒ  ＧＳＭ（登録商標）  Ｅｖｏｌｕｔｉｏｎの略記である。Ｗ−ＣＤＭＡは、Ｗｉｄｅｂａｎｄ  Ｃｏｄｅ  Ｄｉｖｉｓｉｏｎ  Ｍｕｌｔｉｐｌｅ  Ａｃｃｅｓｓの略記である。ＵＭＴＳは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍの略記である。
【００３３】
本例では、基地局＃１は、フェムト基地局である。基地局＃１は、移動局４１との間で、第１の無線通信方式に従った第１の無線通信と、第２の無線通信方式に従った第２の無線通信と、の両方を同時に実行可能に構成されている。基地局＃１は、第１の基地局側通信網ＮＷＢ１を介して中継装置２１と通信可能に接続されている。なお、基地局＃１は、ｅＮＢ（Ｅｖｏｌｖｅｄ  Ｎｏｄｅ  Ｂ）、ＮＢ（Ｎｏｄｅ  Ｂ）、マクロ基地局、又は、ホーム基地局であってもよい。例えば、第１の基地局側通信網ＮＷＢ１は、ＩＳＰ（Ｉｎｔｅｒｎｅｔ  Ｓｅｒｖｉｃｅｓ  Ｐｒｏｖｉｄｅｒ）網である。
【００３４】
本例では、基地局＃２は、マクロ基地局である。基地局＃２は、移動局４１との間で、第１の無線通信のみを実行可能に構成されている。基地局＃２は、第２の基地局側通信網ＮＷＢ２を介して中継装置２１と通信可能に接続されている。なお、基地局＃２は、ｅＮＢ、ＮＢ、フェムト基地局、又は、ホーム基地局であってもよい。また、基地局＃２は、第１の無線通信に加えて、第２の無線通信も実行可能に構成されていてもよい。なお、基地局＃２は、第１の無線通信に加えて、又は、第１の無線通信に代えて、第３の無線通信方式に従った第３の無線通信を実行可能に構成されていてもよい。例えば、第２の基地局側通信網ＮＷＢ２は、ＩＳＰ網、又は、ＥＰＣ（Ｅｖｏｌｖｅｄ  Ｐａｃｋｅｔ  Ｃｏｒｅ）網である。
【００３５】
本例では、基地局＃３は、アクセスポイントである。基地局＃３は、移動局４１との間で、第２の無線通信のみを実行可能に構成されている。基地局＃３は、第３の基地局側通信網ＮＷＢ３を介して中継装置２１と通信可能に接続されている。なお、基地局＃３は、ｅＮＢ、ＮＢ、フェムト基地局、マクロ基地局、又は、ホーム基地局であってもよい。また、基地局＃３は、第２の無線通信に加えて、第１の無線通信も実行可能に構成されていてもよい。なお、基地局＃３は、第２の無線通信に加えて、又は、第２の無線通信に代えて、第３の無線通信方式に従った第３の無線通信を実行可能に構成されていてもよい。例えば、第３の基地局側通信網ＮＷＢ３は、公衆無線ＬＡＮ網である。
【００３６】
各基地局＃１，＃２，＃３は、少なくとも１つのセル（カバレッジ・エリア又は通信領域）を有する。本例では、セルは、マクロセル、マイクロセル、ナノセル、ピコセル、フェムトセル、ホームセル、又は、セクタセル等である。各基地局＃１，＃２，＃３は、自局＃１，＃２，＃３が有する（提供する）セル内に位置する移動局４１と無線通信可能に構成される。
【００３７】
具体的には、各基地局＃１，＃２，＃３は、自局＃１，＃２，＃３が有するセルにおいて無線リソース（本例では、時間スロット及び周波数帯域）を提供する。各基地局＃１，＃２，＃３は、自局＃１，＃２，＃３が有するセル内に位置する移動局４１と、当該セルにおいて提供されている無線リソースを用いることにより通信を行なう。なお、本例では、基地局＃１，＃２，＃３が有するセルにおいて提供されている無線リソースを用いることにより、移動局４１が基地局＃１，＃２，＃３と通信可能であることは、移動局４１が基地局＃１，＃２，＃３に接続されていることの一例である。
【００３８】
なお、基地局＃１は、第１の無線通信を行なうために用いられる無線リソースが提供される第１のセルと、第２の無線通信を行なうために用いられる無線リソースが提供される第２のセルと、を有する。本例では、第１のセルと第２のセルとは、互いに異なる。なお、第１のセルと第２のセルとは、一致していてもよい。
【００３９】
なお、基地局＃１，＃２、及び、無線通信システム１のうちの基地局＃１，＃２よりも通信網ＮＷＢ１，ＮＷＢ２（即ち、上位）側の部分は、Ｅ−ＵＴＲＡＮとも呼ばれる。なお、Ｅ−ＵＴＲＡＮは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋの略記である。
【００４０】
本例では、基地局＃１，＃２，＃３は、有線通信可能に通信網ＮＷＢ１，ＮＷＢ２，ＮＷＢ３にそれぞれ接続されている。なお、基地局＃１，＃２，＃３の少なくとも１つは、無線通信可能に通信網ＮＷＢ１，ＮＷＢ２，ＮＷＢ３に接続されていてもよい。
【００４１】
本例では、中継装置２１は、ゲートウェイである。なお、中継装置２１は、スイッチ、又は、ルータ等であってもよい。中継装置２１は、サーバ側通信網ＮＷＡ１を介してサーバ装置１１と通信可能に接続されている。即ち、中継装置２１は、基地局＃１，＃２，＃３よりも上位側に配置されている。なお、本例では、サーバ装置１１から移動局４１へデータが伝送される経路において、サーバ装置１１が中継装置２１よりも上位に配置され、且つ、中継装置２１が各基地局＃１，＃２，＃３よりも上位に配置されている、と言える。更に、本例では、当該経路において、各基地局＃１，＃２，＃３が移動局４１よりも上位に配置されている、と言える。
【００４２】
移動局４１は、自局４１が接続されている基地局＃１，＃２，＃３が有するセルにおいて提供されている無線リソースを用いることにより、基地局＃１，＃２，＃３と通信を行なう。なお、移動局４１は、ＵＥ（Ｕｓｅｒ  Ｅｑｕｉｐｍｅｎｔ）とも表記される。
【００４３】
次に、各装置の構成について、より詳細に説明する。
（構成；中継装置）
図２に示したように、中継装置２１は、バスＢＳＡ１を介して互いに接続された、制御装置２１１と、記憶装置２１２と、第１の有線通信装置２１３と、第２の有線通信装置２１４と、を備える。
【００４４】
制御装置２１１は、後述する機能を実現するために、中継装置２１が備える各装置を制御する。本例では、制御装置２１１は、ＬＳＩ（Ｌａｒｇｅ  Ｓｃａｌｅ  Ｉｎｔｅｇｒａｔｉｏｎ）により構成される。なお、制御装置２１１は、プログラム可能な論理回路装置（ＰＬＤ；Ｐｒｏｇｒａｍｍａｂｌｅ  Ｌｏｇｉｃ  Ｄｅｖｉｃｅ）により構成されていてもよい。また、制御装置２１１は、ＣＰＵ（Ｃｅｎｔｒａｌ  Ｐｒｏｃｅｓｓｉｎｇ  Ｕｎｉｔ）等の処理装置を備え、処理装置が記憶装置２１２に記憶されているプログラムを実行することにより、後述する機能を実現してもよい。
【００４５】
記憶装置２１２は、情報を読み書き可能に記憶する。例えば、記憶装置２１２は、ＲＡＭ、ＲＯＭ、ＨＤＤ、ＳＳＤ、半導体メモリ、及び、有機メモリの少なくとも１つを備える。ＲＡＭは、Ｒａｎｄｏｍ  Ａｃｃｅｓｓ  Ｍｅｍｏｒｙの略記である。ＲＯＭは、Ｒｅａｄ  Ｏｎｌｙ  Ｍｅｍｏｒｙの略記である。ＨＤＤは、Ｈａｒｄ  Ｄｉｓｋ  Ｄｒｉｖｅの略記である。ＳＳＤは、Ｓｏｌｉｄ  Ｓｔａｔｅ  Ｄｒｉｖｅの略記である。なお、記憶装置２１２は、フレキシブルディスク、光ディスク、光磁気ディスク、及び、半導体メモリ等の記録媒体と、記録媒体から情報を読み取り可能な読取装置と、を備えていてもよい。
【００４６】
第１の有線通信装置２１３は、通信ケーブルを接続可能な通信ポートを備える。第１の有線通信装置２１３は、通信ケーブルを介してサーバ側通信網ＮＷＡ１に接続されることにより、サーバ側通信網ＮＷＡ１に接続された他の装置（例えば、サーバ装置１１）と通信を行なう。
【００４７】
第２の有線通信装置２１４は、通信ケーブルを接続可能な通信ポートを備える。第２の有線通信装置２１４は、通信ケーブルを介して通信網ＮＷＢ１，ＮＷＢ２，ＮＷＢ３に接続されることにより、通信網ＮＷＢ１，ＮＷＢ２，ＮＷＢ３に接続された他の装置（例えば、基地局＃１，＃２，＃３のそれぞれ）と通信を行なう。
【００４８】
（構成；サーバ装置）
サーバ装置１１は、図示しない、制御装置２１１と同様の制御装置と、記憶装置２１２と同様の記憶装置と、第１の有線通信装置２１３と同様の有線通信装置と、を備える。サーバ装置１１が備える有線通信装置は、サーバ側通信網ＮＷＡ１に接続されることにより、サーバ側通信網ＮＷＡ１に接続された他の装置（例えば、中継装置２１）と通信を行なう。
【００４９】
（構成；基地局＃１）
図３に示したように、基地局＃１は、バスＢＳＢ１を介して互いに接続された、制御装置３１１と、記憶装置３１２と、第１の無線通信装置３１３と、第２の無線通信装置３１４と、有線通信装置３１５と、を備える。
制御装置３１１は、制御装置２１１と同様に、後述する機能を実現するために、基地局＃１が備える各装置を制御する。記憶装置３１２は、記憶装置２１２と同様に構成される。
【００５０】
第１の無線通信装置３１３は、図示しないアンテナを介して、基地局＃１が有する第１のセル内に位置する移動局４１と、第１の無線通信方式に従った第１の無線通信を行なう。第２の無線通信装置３１４は、図示しないアンテナを介して、基地局＃１が有する第２のセル内に位置する移動局４１と、第２の無線通信方式に従った第２の無線通信を行なう。
【００５１】
有線通信装置３１５は、通信ケーブルを接続可能な通信ポートを備える。有線通信装置３１５は、通信ケーブルを介して第１の基地局側通信網ＮＷＢ１に接続されることにより、第１の基地局側通信網ＮＷＢ１に接続された他の装置（例えば、中継装置２１）と通信を行なう。
【００５２】
（構成；基地局＃２）
図４に示したように、基地局＃２は、バスＢＳＢ２を介して互いに接続された、制御装置３２１と、記憶装置３２２と、第１の無線通信装置３２３と、有線通信装置３２４と、を備える。
制御装置３２１は、制御装置３１１と同様に、後述する機能を実現するために、基地局＃２が備える各装置を制御する。記憶装置３２２は、記憶装置３１２と同様に構成される。第１の無線通信装置３２３は、第１の無線通信装置３１３と同様に構成される。
【００５３】
有線通信装置３２４は、有線通信装置３１５と同様に構成される。有線通信装置３２４は、通信ケーブルを介して第２の基地局側通信網ＮＷＢ２に接続されることにより、第２の基地局側通信網ＮＷＢ２に接続された他の装置（例えば、中継装置２１）と通信を行なう。
【００５４】
（構成；基地局＃３）
図５に示したように、基地局＃３は、バスＢＳＢ３を介して互いに接続された、制御装置３３１と、記憶装置３３２と、第２の無線通信装置３３３と、有線通信装置３３４と、を備える。
制御装置３３１は、制御装置３１１と同様に、後述する機能を実現するために、基地局＃３が備える各装置を制御する。記憶装置３３２は、記憶装置３１２と同様に構成される。第２の無線通信装置３３３は、第２の無線通信装置３１４と同様に構成される。
【００５５】
有線通信装置３３４は、有線通信装置３１５と同様に構成される。有線通信装置３３４は、通信ケーブルを介して第３の基地局側通信網ＮＷＢ３に接続されることにより、第３の基地局側通信網ＮＷＢ３に接続された他の装置（例えば、中継装置２１）と通信を行なう。
【００５６】
（構成；移動局）
図６に示したように、移動局４１は、バスＢＳＣ１を介して互いに接続された、制御装置４１１と、記憶装置４１２と、第１の無線通信装置４１３と、第２の無線通信装置４１４と、を備える。
制御装置４１１は、制御装置３１１と同様に、後述する機能を実現するために、移動局４１が備える各装置を制御する。記憶装置４１２は、記憶装置３１２と同様に構成される。
【００５７】
第１の無線通信装置４１３は、図示しないアンテナを介して、自局４１が接続されている基地局＃１，＃２が有するセルにおいて提供されている無線リソースを用いることにより、基地局＃１，＃２と第１の無線通信方式に従った第１の無線通信を行なう。第２の無線通信装置４１４は、図示しないアンテナを介して、自局４１が接続されている基地局＃１，＃３が有するセルにおいて提供されている無線リソースを用いることにより、基地局＃１，＃３と第２の無線通信方式に従った第２の無線通信を行なう。
【００５８】
（機能；基地局＃１）
次に、基地局＃１の機能について説明する。基地局＃１の機能は、図７に示したように、接続状態判定部（第１の判定手段）３１０１と、接続状態送信部（第１の送信手段）３１０２と、制御部（第１の制御手段）３１０３と、通信処理部（第１の通信手段）３１０４と、を含む。
【００５９】
接続状態判定部３１０１は、基地局＃１の状態が、第１の無線通信方式に従った第１の無線通信を実行可能に移動局４１と接続されている第１の接続状態であるか否かを判定する。例えば、移動局４１が、第１の無線通信を行なうために用いられる無線リソースが基地局＃１により提供される第１のセル内に位置することは、基地局＃１の状態が第１の接続状態であることの一例である。
【００６０】
同様に、接続状態判定部３１０１は、基地局＃１の状態が、第２の無線通信方式に従った第２の無線通信を実行可能に移動局４１と接続されている第２の接続状態であるか否かを判定する。例えば、移動局４１が、第２の無線通信を行なうために用いられる無線リソースが基地局＃１により提供される第２のセル内に位置することは、基地局＃１の状態が第２の接続状態であることの一例である。
【００６１】
更に、接続状態判定部３１０１は、基地局＃１の状態が、第１のＬＡ通信を実行可能に移動局４１と接続されているＬＡ接続状態であるか否かを判定する。
【００６２】
第１のＬＡ通信は、基地局＃１と移動局４１とを接続する、第１の無線通信路及び第２の無線通信路へパケットを分配することによりパケットを伝送する通信である。例えば、ＬＡ通信は、複数の無線通信路（物理回線）を集約することにより構成された１つの論理回線（仮想回線）を用いることにより行なわれる通信である。
【００６３】
第１の無線通信路は、第１の無線通信方式に従った第１の無線通信を行なうための通信路である。本例では、第１の無線通信路は、第１の無線通信装置３１３及び第１の無線通信装置４１３によって形成される。同様に、第２の無線通信路は、第２の無線通信方式に従った第２の無線通信を行なうための通信路である。本例では、第２の無線通信路は、第２の無線通信装置３１４及び第２の無線通信装置４１４によって形成される。
【００６４】
本例では、接続状態判定部３１０１は、基地局＃１の状態が第１の接続状態であり且つ基地局＃１の状態が第２の接続状態であると判定された場合、基地局＃１の状態がＬＡ接続状態であると判定する。一方、接続状態判定部３１０１は、基地局＃１の状態が第１の接続状態でないと判定された場合、または、基地局＃１の状態が第２の接続状態でないと判定された場合、基地局＃１の状態がＬＡ接続状態でないと判定する。なお、接続状態判定部３１０１は、移動局毎に基地局＃１の状態がＬＡ接続状態であるか否かを判定する。ある移動局に関して、基地局＃１の状態がＬＡ接続状態であったとしても、別の移動局に関しては、基地局＃１の状態がＬＡ接続状態でない場合がある。
【００６５】
接続状態送信部３１０２は、接続状態判定部３１０１によって、基地局＃１の状態がＬＡ接続状態であると判定された場合、ＬＡ接続状態通知を中継装置２１へ送信する。ＬＡ接続状態通知は、基地局＃１の状態がＬＡ接続状態であることを表す情報である。本例では、接続状態送信部３１０２は、ＬＡ接続状態通知を、状態通知として送信する。
【００６６】
状態通知は、図８に示したように、移動局識別子フィールドＦ１と、接続状態フィールドＦ２と、を含む。移動局識別子フィールドＦ１は、移動局（本例では、移動局４１）を識別するための識別子が格納される領域である。接続状態フィールドＦ２は、基地局＃１の状態がＬＡ接続状態であるか否かを表す情報が格納される領域である。
【００６７】
一方、接続状態送信部３１０２は、接続状態判定部３１０１によって、基地局＃１の状態がＬＡ接続状態でないと判定された場合、ＬＡ未接続状態通知を中継装置２１へ送信する。ＬＡ未接続状態通知は、基地局＃１の状態がＬＡ接続状態でないことを表す情報である。本例では、接続状態送信部３１０２は、ＬＡ未接続状態通知を、状態通知として送信する。
【００６８】
制御部３１０３は、接続状態判定部３１０１によって、基地局＃１の状態がＬＡ接続状態であると判定された場合、第１のＬＡ通信を実行するように通信処理部３１０４を制御する。即ち、制御部３１０３は、通信処理部３１０４の状態を後述する第１のＬＡ通信状態に設定する。
【００６９】
一方、制御部３１０３は、接続状態判定部３１０１によって、基地局＃１の状態がＬＡ接続状態でないと判定された場合、第１のＬＡ通信を実行しないように通信処理部３１０４を制御する。
【００７０】
本例では、制御部３１０３は、基地局＃１の状態がＬＡ接続状態でないと判定された場合において、基地局＃１の状態が第１の接続状態であると判定されたとき、第１の無線通信のみを実行するように通信処理部３１０４を制御する。即ち、制御部３１０３は、通信処理部３１０４の状態を後述する第１の無線通信状態に設定する。
【００７１】
同様に、制御部３１０３は、基地局＃１の状態がＬＡ接続状態でないと判定された場合において、基地局＃１の状態が第２の接続状態であると判定されたとき、第２の無線通信のみを実行するように通信処理部３１０４を制御する。即ち、制御部３１０３は、通信処理部３１０４の状態を後述する第２の無線通信状態に設定する。
【００７２】
制御部３１０３は、基地局＃１の状態が第１の接続状態でないと判定され、且つ、基地局＃１の状態が第２の接続状態でないと判定された場合、いずれの無線通信も実行しないように通信処理部３１０４を制御する。即ち、制御部３１０３は、通信処理部３１０４の状態を非通信状態に設定する。
【００７３】
通信処理部３１０４は、有線通信装置３１５を介して中継装置２１からパケットを受信する。
通信処理部３１０４は、第１のＬＡ通信状態と、第１の無線通信状態と、第２の無線通信状態と、非通信状態と、のいずれかの状態にて無線通信を実行する。通信処理部３１０４は、制御部３１０３による制御に従って状態を切り替える。
【００７４】
通信処理部３１０４は、パケット振分部３１０４ａを含む。通信処理部３１０４は、第１のＬＡ通信状態において、第１のＬＡ通信を実行する。パケット振分部３１０４ａは、第１のＬＡ通信状態において、第１の無線通信装置３１３及び第２の無線通信装置３１４へ、受信されたパケットを分配する（振り分ける）ように、第１の無線通信装置３１３及び第２の無線通信装置３１４へパケットを出力する。
【００７５】
本例では、パケット振分部３１０４ａは、第１の無線通信路の状態を表す情報と、第２の無線通信路の状態を表す情報と、を取得する。更に、パケット振分部３１０４ａは、取得された情報に基づいてパケットの分配を制御する（例えば、分配率等を調整する）。例えば、無線通信路の状態は、無線通信路の利用率、伝送速度、又は、誤り率等である。
【００７６】
第１の無線通信装置３１３及び第２の無線通信装置３１４のそれぞれは、自装置に入力されたパケットを移動局４１へ送信する。即ち、通信処理部３１０４は、第１のＬＡ通信状態において、第１の無線通信及び第２の無線通信を同時に実行することにより第１のＬＡ通信を実行する。
【００７７】
また、通信処理部３１０４は、第１の無線通信状態において、第１の無線通信のみを実行する。本例では、通信処理部３１０４は、第１の無線通信状態において、第１の無線通信装置３１３のみに、受信されたパケットを出力する。第１の無線通信装置３１３は、自装置に入力されたパケットを移動局４１へ送信する。
【００７８】
同様に、通信処理部３１０４は、第２の無線通信状態において、第２の無線通信のみを実行する。本例では、通信処理部３１０４は、第２の無線通信状態において、第２の無線通信装置３１４のみに、受信されたパケットを出力する。第２の無線通信装置３１４は、自装置に入力されたパケットを移動局４１へ送信する。
【００７９】
通信処理部３１０４は、中継装置２１により転送された、後述する未送達パケットが受信された場合、第１のＬＡ通信を実行することにより、未送達パケットをフラグ情報とともに移動局４１へ送信する。フラグ情報は、パケットに対する確認応答が既に送信されていることを表す情報である。
【００８０】
（機能；中継装置）
次に、中継装置２１の機能について説明する。中継装置２１の機能は、図９に示したように、接続状態受信部（第２の受信手段）２１０１と、制御部（第２の制御手段）２１０２と、通信処理部（第２の通信手段）２１０３と、を含む。
接続状態受信部２１０１は、基地局＃１からＬＡ接続状態通知を受信する。同様に、接続状態受信部２１０１は、基地局＃１からＬＡ未接続状態通知を受信する。
【００８１】
制御部２１０２は、ＬＡ接続状態通知が受信された場合、第２のＬＡ通信を実行しないように通信処理部２１０３を制御する。本例では、制御部２１０２は、通信処理部２１０３の状態を後述する第１のＬＡ通信用中継状態に設定する。
【００８２】
一方、制御部２１０２は、ＬＡ未接続状態通知が受信された場合において、第１の通信路及び第２の通信路のそれぞれを介して中継装置２１と移動局４１とが通信可能に接続されているとき、第２のＬＡ通信を実行するように通信処理部２１０３を制御する。即ち、制御部２１０２は、通信処理部２１０３の状態を後述する第２のＬＡ通信状態に設定する。
【００８３】
第１の通信路は、移動局４１と基地局＃１，＃２，＃３のいずれかとの間の区間（即ち、無線通信路）において、第１の無線通信方式に従った第１の無線通信を行なうための通信路である。本例では、第１の通信路は、基地局＃１又は基地局＃２を経由した、中継装置２１と移動局４１とを結ぶ経路を有する。同様に、第２の通信路は、移動局４１と基地局＃１，＃２，＃３のいずれかとの間の区間（即ち、無線通信路）において、第２の無線通信方式に従った第２の無線通信を行なうための通信路である。本例では、第２の通信路は、基地局＃１又は基地局＃３を経由した、中継装置２１と移動局４１とを結ぶ経路を有する。
【００８４】
また、制御部２１０２は、ＬＡ未接続状態通知が受信された場合において、第１の通信路のみを介して中継装置２１と移動局４１とが通信可能に接続されているとき、第１の非ＬＡ通信用中継を実行するように通信処理部２１０３を制御する。即ち、制御部２１０２は、通信処理部２１０３の状態を後述する第１の非ＬＡ通信用中継状態に設定する。
【００８５】
同様に、制御部２１０２は、ＬＡ未接続状態通知が受信された場合において、第２の通信路のみを介して中継装置２１と移動局４１とが通信可能に接続されているとき、第２の非ＬＡ通信用中継を実行するように通信処理部２１０３を制御する。即ち、制御部２１０２は、通信処理部２１０３の状態を後述する第２の非ＬＡ通信用中継状態に設定する。
【００８６】
通信処理部２１０３は、第１の有線通信装置２１３を介してサーバ装置１１からパケットを受信する。
通信処理部２１０３は、第１のＬＡ通信用中継状態と、第２のＬＡ通信状態と、第１の非ＬＡ通信用中継状態と、第２の非ＬＡ通信用中継状態と、のいずれかの状態にて通信を実行する。通信処理部２１０３は、制御部２１０２による制御に従って状態を切り替える。
【００８７】
通信処理部２１０３は、プロトコル処理部２１０３ａと、バッファ管理部（第２の転送手段）２１０３ｂと、パケット振分部２１０３ｃと、透過型プロキシ部（第２の送信手段）２１０３ｄと、を含む。
【００８８】
通信処理部２１０３は、第１のＬＡ通信用中継状態において、サーバ装置１１と移動局４１との間のメインコネクションによる通信を中継する。即ち、通信処理部２１０３は、第１のＬＡ通信用中継状態において、サーバ装置１１からパケットを受信し、受信されたパケットを基地局＃１へ送信する。メインコネクションは、移動局４１とサーバ装置１１との間で、所定の通信プロトコル（本例では、ＴＣＰ）に従って確立されたコネクションである。メインコネクションは、メインコネクション＃１とも表記される。
【００８９】
ＴＣＰは、Ｔｒａｎｓｍｉｓｓｉｏｎ  Ｃｏｎｔｒｏｌ  Ｐｒｏｔｏｃｏｌの略記である。なお、通信プロトコルは、ＤＣＣＰ、又は、ＳＣＴＰであってもよい。ＤＣＣＰは、Ｄａｔａｇｒａｍ  Ｃｏｎｇｅｓｔｉｏｎ  Ｃｏｎｔｒｏｌ  Ｐｒｏｔｏｃｏｌの略記である。ＳＣＴＰは、Ｓｔｒｅａｍ  Ｃｏｎｔｒｏｌ  Ｔｒａｎｓｍｉｓｓｉｏｎ  Ｐｒｏｔｏｃｏｌの略記である。
【００９０】
通信処理部２１０３は、第２のＬＡ通信状態において、第２のＬＡ通信を実行する。第２のＬＡ通信は、中継装置２１と移動局４１とを接続する、第１のＬＡ通信路及び第２のＬＡ通信路へパケットを分配することによりパケットを伝送する通信である。第１のＬＡ通信路は、中継装置２１と移動局４１とを接続する第１の通信路にて確立されるコネクションである。同様に、第２のＬＡ通信路は、中継装置２１と移動局４１とを接続する第２の通信路にて確立されるコネクションである。
【００９１】
プロトコル処理部２１０３ａは、第２のＬＡ通信状態において、中継装置２１と移動局４１とを接続する第１の通信路にて、上記通信プロトコルに従ったコネクション（第１のサブコネクション）を第１のＬＡ通信路として確立する。同様に、プロトコル処理部２１０３ａは、第２のＬＡ通信状態において、中継装置２１と移動局４１とを接続する第２の通信路にて、上記通信プロトコルに従ったコネクション（第２のサブコネクション）を第２のＬＡ通信路として確立する。なお、第１のサブコネクションは、サブコネクション＃１−１とも表記される。また、第２のサブコネクションは、サブコネクション＃１−２とも表記される。
【００９２】
本例では、トランスポート層におけるプロトコルスタックを表す図１０に示したように、第１のサブコネクションＣ１１及び第２のサブコネクションＣ１２は、メインコネクションＣ１０の下層に配置されている。本例では、パケットは、メインコネクションにて伝送されるパケットをカプセル化することにより、各サブコネクションにて伝送される。即ち、各サブコネクションにて伝送されるパケットは、メインコネクションにおけるヘッダと、サブコネクションにおけるヘッダと、の両方を含む。
【００９３】
更に、プロトコル処理部２１０３ａは、第２のＬＡ通信状態において、基地局＃１からＬＡ接続状態通知が受信された場合、確立されている第１のサブコネクション及び第２のサブコネクションを解放する。
【００９４】
バッファ管理部２１０３ｂは、第１のＬＡ通信路にて伝送されるパケットを一時的に記憶する第１のバッファと、第２のＬＡ通信路にて伝送されるパケットを一時的に記憶する第２のバッファと、を管理する。第１のバッファ及び第２のバッファは、記憶装置２１２により構成される。
【００９５】
バッファ管理部２１０３ｂは、第１のバッファに記憶されているパケットを第２の有線通信装置２１４を介して第１のサブコネクションにて送信する。同様に、バッファ管理部２１０３ｂは、第２のバッファに記憶されているパケットを第２の有線通信装置２１４を介して第２のサブコネクションにて送信する。
【００９６】
バッファ管理部２１０３ｂは、送信されたパケットのうちの、当該パケットに対して確認応答（例えば、ＡＣＫ信号）がサブコネクションにて受信されたパケットを第１のバッファ及び第２のバッファから削除（消去）する。確認応答は、パケットが移動局４１によって正しく受信されたことを表す情報である。
【００９７】
即ち、通信処理部２１０３は、第２のＬＡ通信状態において、第１のサブコネクションを用いる第１の通信と、第２のサブコネクションを用いる第２の通信と、を同時に実行することにより第２のＬＡ通信を実行する。
【００９８】
更に、バッファ管理部２１０３ｂは、あるＬＡ通信路にて輻輳が発生した場合、そのＬＡ通信路にて単位時間あたりに送信するパケットのデータ量を低減させることにより輻輳制御を行なう。例えば、バッファ管理部２１０３ｂは、スロースタート、輻輳回避、ＴＣＰ高速再送アルゴリズム、及び／又は、ファストリカバリ等の方式に従った輻輳制御を行なう。
【００９９】
パケット振分部２１０３ｃは、第２のＬＡ通信状態において、第１のバッファ及び第２のバッファへ、受信されたパケットを分配する（振り分ける）ように、第１のバッファ及び第２のバッファにパケットを記憶させる。本例では、パケット振分部２１０３ｃは、第１のバッファに記憶されているパケットのデータ量と、第２のバッファに記憶されているパケットのデータ量と、に基づいてパケットの分配を制御する。例えば、パケット振分部２１０３ｃは、各バッファに記憶されているデータ量が等しくなるように、パケットの分配率を調整する。
【０１００】
透過型プロキシ部２１０３ｄは、第２のＬＡ通信状態において、移動局４１が宛先として設定されたパケットを受信したとき、メインコネクションに対する確認応答を、当該パケットに設定された送信元（例えば、サーバ装置１１）へメインコネクションにて送信する。確認応答は、上記パケットが移動局４１によって正しく受信されたことを表す情報である。本例では、透過型プロキシ部２１０３ｄは、確認応答として、ＡＣＫ信号を送信する。このＡＣＫ信号は、パケットの宛先として設定された移動局４１に代わって、中継装置２１によって送信されるため、疑似ＡＣＫ信号とも呼ばれる。
【０１０１】
バッファ管理部２１０３ｂは、第２のＬＡ通信状態において、基地局＃１からＬＡ接続状態通知が受信された場合、未送達パケットを基地局＃１へ転送（送信）する。未送達パケットは、サーバ装置１１から受信されたパケットのうちの、移動局４１が宛先として設定され且つ第１のバッファ及び第２のバッファに記憶されているパケットである。
【０１０２】
即ち、未送達パケットは、移動局４１によって未だ正しく受信されておらず且つ移動局４１へ送信するために保持されているパケットである、と言える。なお、あるパケットに対して、移動局４１によって正しく受信されたことを表す確認応答が移動局４１から未だ受信されていないことは、当該パケットが移動局４１によって未だ正しく受信されていないことの一例である。
【０１０３】
また、通信処理部２１０３は、第１の非ＬＡ通信用中継状態において、第１の非ＬＡ通信用中継を実行する。第１の非ＬＡ通信用中継は、サーバ装置１１と移動局４１との間のメインコネクションによる通信を中継する通信である。即ち、通信処理部２１０３は、第１の非ＬＡ通信用中継状態において、サーバ装置１１からパケットを受信し、受信されたパケットを、移動局４１が第１の無線通信方式に従った第１の無線通信を実行可能に接続されている基地局＃１，＃２へ送信する。従って、基地局＃１，＃２が第１の無線通信を実行することにより移動局４１へパケットが伝送される。なお、第１の非ＬＡ通信用中継及び第１の無線通信は、第１の非ＬＡ通信を構成する。
【０１０４】
同様に、通信処理部２１０３は、第２の非ＬＡ通信用中継状態において、第２の非ＬＡ通信用中継を実行する。第２の非ＬＡ通信用中継は、サーバ装置１１と移動局４１との間のメインコネクションによる通信を中継する通信である。即ち、通信処理部２１０３は、第２の非ＬＡ通信用中継状態において、サーバ装置１１からパケットを受信し、受信されたパケットを、移動局４１が第２の無線通信方式に従った第２の無線通信を実行可能に接続されている基地局＃１，＃３へ送信する。従って、基地局＃１，＃３が第２の無線通信を実行することにより移動局４１へパケットが伝送される。なお、第２の非ＬＡ通信用中継及び第２の無線通信は、第２の非ＬＡ通信を構成する。
【０１０５】
（機能；移動局）
次に、移動局４１の機能について説明する。移動局４１の機能は、図１１に示したように、通信処理部４１０１を含む。通信処理部４１０１は、プロトコル処理部４１０１ａと、ＡＣＫ処理部（第３の送信手段）４１０１ｂと、を含む。
【０１０６】
通信処理部４１０１は、第１のＬＡ通信、第２のＬＡ通信、第１の非ＬＡ通信、及び、第２の非ＬＡ通信のそれぞれによって送信されたパケットを、第１の無線通信装置４１３及び／又は第２の無線通信装置４１４を介して受信する。
プロトコル処理部４１０１ａは、サーバ装置１１との間でメインコネクションを確立する。更に、プロトコル処理部４１０１ａは、中継装置２１との間で第１のサブコネクション及び第２のサブコネクションを確立する。
【０１０７】
ＡＣＫ処理部４１０１ｂは、パケットが第１のＬＡ通信によって受信され且つ当該パケットとともにフラグ情報が受信されなかった場合、メインコネクションに対する確認応答をパケットに設定された送信元（例えば、サーバ装置１１）へメインコネクションにて送信する。確認応答は、パケットが移動局４１によって正しく受信されたことを表す情報である。更に、ＡＣＫ処理部４１０１ｂは、パケットが第１の非ＬＡ通信又は第２の非ＬＡ通信によって受信された場合、メインコネクションに対する確認応答をパケットに設定された送信元（例えば、サーバ装置１１）へメインコネクションにて送信する。
【０１０８】
ＡＣＫ処理部４１０１ｂは、パケットが第１のＬＡ通信によって受信され且つ当該パケットとともにフラグ情報が受信された場合、メインコネクションに対する確認応答を送信しない。更に、ＡＣＫ処理部４１０１ｂは、パケットが第２のＬＡ通信によって受信された場合、サブコネクションに対する確認応答を、当該サブコネクションにおけるヘッダにてパケットに設定された送信元（例えば、中継装置２１）へ送信する。一方、この場合、ＡＣＫ処理部４１０１ｂは、メインコネクションに対する確認応答を外部へ送信しない。
【０１０９】
（作動）
次に、上述した無線通信システム１の作動について、図１２乃至図１７を参照しながら説明する。
先ず、移動局４１がいずれかの基地局＃１，＃２，＃３と無線通信可能に接続されている場合を想定する。この場合において、移動局４１とサーバ装置１１との間で通信を開始するとき、移動局４１は、サーバ装置１１との間で上記通信プロトコル（本例では、ＴＣＰ）に従ってコネクション（メインコネクション＃１）を確立する（図１２のステップＳ１０１）。
【０１１０】
その後、移動局４１が、第１のセル及び第２のセルの両方に含まれる位置に配置された場合を想定する。この場合、移動局４１は、第１の無線通信方式に従った第１の無線通信を実行可能に基地局＃１に接続される（図１２のステップＳ１０２）。この接続は、接続＃１とも表記される。更に、移動局４１は、第２の無線通信方式に従った第２の無線通信を実行可能に基地局＃１に接続される（図１２のステップＳ１０３）。この接続は、接続＃２とも表記される。これにより、基地局＃１の状態は、第１の接続状態となり、且つ、第２の接続状態となる。
【０１１１】
基地局＃１は、図１３にフローチャートにより示した接続判定処理を実行する。具体的には、基地局＃１は、基地局＃１の状態が、ＬＡ未接続状態からＬＡ接続状態へ変化したか否かを判定する（図１３のステップＳ２０１）。上記仮定に従えば、基地局＃１は、「Ｙｅｓ」と判定し、ＬＡ接続状態通知を中継装置２１へ送信する（図１３のステップＳ２０２、図１２のステップＳ１０４）。
【０１１２】
次いで、基地局＃１は、基地局＃１の通信状態を第１のＬＡ通信状態に設定する（図１３のステップＳ２０３）。具体的には、基地局＃１は、記憶装置３１２に記憶されている通信状態情報を、第１のＬＡ通信状態を表す情報に変更する。なお、基地局＃１が基地局＃１の通信状態を他の通信状態に設定する場合も同様である。その後、基地局＃１は、図１３のステップＳ２０１へ戻り、ステップＳ２０１〜ステップＳ２０６の処理を繰り返し実行する。なお、ステップＳ２０４〜ステップＳ２０６の処理については後述する。
【０１１３】
一方、中継装置２１は、図１４にフローチャートにより示した通信状態制御処理を実行する。具体的には、中継装置２１は、基地局＃１から状態通知（本例では、ＬＡ接続状態通知、又は、ＬＡ未接続状態通知）を受信したか否かを判定する（図１４のステップＳ３０１）。
【０１１４】
上記仮定に従えば、中継装置２１は、「Ｙｅｓ」と判定し、受信された状態通知がＬＡ接続状態通知であるか否かを判定する（図１４のステップＳ３０２）。上記仮定に従えば、中継装置２１は、「Ｙｅｓ」と判定し、中継装置２１の通信状態を第１のＬＡ通信用中継状態に設定する（図１４のステップＳ３０３）。具体的には、中継装置２１は、記憶装置２１２に記憶されている通信状態情報を、第１のＬＡ通信用中継状態を表す情報に変更する。なお、中継装置２１が中継装置２１の通信状態を他の通信状態に設定する場合も同様である。
【０１１５】
次に、中継装置２１は、未送達パケットが存在する場合、未送達パケットを基地局＃１へ送信する（図１４のステップＳ３０４）。上記仮定に従えば、この時点では、未送達パケットが存在しないため、中継装置２１は、未送達パケットを送信しない。次いで、中継装置２１は、サブコネクションが確立されている場合、サブコネクションを解放する（図１４のステップＳ３０５）。上記仮定に従えば、この時点では、サブコネクションが確立されていないため、中継装置２１は、サブコネクションを解放しない。その後、中継装置２１は、図１４のステップＳ３０１へ戻り、ステップＳ３０１〜ステップＳ３０９の処理を繰り返し実行する。なお、ステップＳ３０６〜ステップＳ３０９の処理については後述する。
【０１１６】
その後、中継装置２１がサーバ装置１１からパケットを受信する前に、移動局４１が、第１のセル及び第２のセルのいずれにも含まれず、且つ、第３のセル及び第４のセルの両方に含まれる位置に配置された場合を想定する。本例では、第３のセルは、第１の無線通信方式に従った第１の無線通信を行なうために用いられる無線リソースが基地局＃２により提供される領域である。同様に、第４のセルは、第２の無線通信方式に従った第２の無線通信を行なうために用いられる無線リソースが基地局＃３により提供される領域である。
【０１１７】
この場合、移動局４１と基地局＃１との間の接続＃１は切断される（図１２のステップＳ１０５）。この切断は、切断＃１とも表記される。同様に、移動局４１と基地局＃１との間の接続＃２は切断される（図１２のステップＳ１０６）。この切断は、切断＃２とも表記される。
一方、移動局４１は、第１の無線通信方式に従った第１の無線通信を実行可能に基地局＃２に接続される。同様に、移動局４１は、第２の無線通信方式に従った第２の無線通信を実行可能に基地局＃３に接続される。
【０１１８】
この時点では、基地局＃１は、図１３のステップＳ２０１に進んだとき、「Ｎｏ」と判定し、基地局＃１の状態が、ＬＡ接続状態からＬＡ未接続状態へ変化したか否かを判定する（図１３のステップＳ２０４）。上記仮定に従えば、基地局＃１は、「Ｙｅｓ」と判定し、ＬＡ未接続状態通知を中継装置２１へ送信する（図１３のステップＳ２０５、図１２のステップＳ１０７）。
【０１１９】
次いで、基地局＃１は、基地局＃１の通信状態を第１の無線通信状態、第２の無線通信状態、又は、非通信状態に設定する（図１３のステップＳ２０６）。具体的には、基地局＃１は、基地局＃１の状態が第１の接続状態である場合、基地局＃１の通信状態を第１の無線通信状態に設定する。同様に、基地局＃１は、基地局＃１の状態が第２の接続状態である場合、基地局＃１の通信状態を第２の無線通信状態に設定する。また、基地局＃１は、基地局＃１の状態が、第１の接続状態及び第２の接続状態のいずれでもない場合、基地局＃１の通信状態を非通信状態に設定する。
上記仮定に従えば、この時点では、基地局＃１は、基地局＃１の通信状態を非通信状態に設定する。その後、基地局＃１は、図１３のステップＳ２０１へ戻る。
【０１２０】
この時点では、中継装置２１は、図１４のステップＳ３０２に進んだとき、「Ｎｏ」と判定し、第１の通信路及び第２の通信路のそれぞれを介して中継装置２１と移動局４１とが通信可能に接続されているか否かを判定する（図１４のステップＳ３０６）。上記仮定に従えば、中継装置２１は、「Ｙｅｓ」と判定し、中継装置２１の通信状態を第２のＬＡ通信状態に設定する（図１４のステップＳ３０７）。
【０１２１】
次いで、中継装置２１は、移動局４１との間で上記通信プロトコル（本例では、ＴＣＰ）に従って、２つのサブコネクション＃１−１，＃１−２を確立する（図１４のステップＳ３０８、図１２のステップＳ１１２，Ｓ１１３）。上記仮定に従えば、サブコネクション＃１−１は、基地局＃２を経由した第１の通信路にて確立される。同様に、サブコネクション＃１−２は、基地局＃３を経由した第２の通信路にて確立される。
【０１２２】
なお、本例では、中継装置２１は、サーバ装置１１からパケットを受信した後に、サブコネクションを確立する。また、中継装置２１は、サーバ装置１１からパケットを受信する前に、サブコネクションを確立してもよい。
そして、中継装置２１は、図１４のステップＳ３０１へ戻る。
【０１２３】
その後、サーバ装置１１から中継装置２１へ、移動局４１が宛先として設定されたパケットがメインコネクションを介して送信された場合を想定する。本例では、パケットは、ＤＡＴＡ＃ｉとも表記される。ここで、ｉは、自然数である。
【０１２４】
中継装置２１は、図１５にフローチャートにより示したパケット送信処理を実行する。具体的には、中継装置２１は、サーバ装置１１からパケットを受信したか否かを判定する（図１５のステップＳ４０１）。上記仮定に従えば、中継装置２１は、サーバ装置１１からパケット（ＤＡＴＡ＃１）を受信する（図１２のステップＳ１０８）。
【０１２５】
従って、中継装置２１は、「Ｙｅｓ」と判定し、中継装置２１の通信状態が第２のＬＡ通信状態に設定されているか否かを判定する（図１５のステップＳ４０２）。この時点では、中継装置２１の通信状態は、第２のＬＡ通信状態に設定されている。従って、中継装置２１は、「Ｙｅｓ」と判定し、ＡＣＫ信号（ＡＣＫ＃１）を、受信されたパケットに設定された送信元（本例では、サーバ装置１１）へ送信する（図１５のステップＳ４０３、図１２のステップＳ１０９）。本例では、ＡＣＫ信号は、ＡＣＫ＃ｉとも表記される。
【０１２６】
そして、中継装置２１は、受信されたパケットを第２のＬＡ通信により移動局４１へ送信する（図１５のステップＳ４０４）。具体的には、中継装置２１は、第１のバッファ及び第２のバッファへ、受信されたパケットを分配するように、第１のバッファ及び第２のバッファにパケットを記憶させる。ここでは、中継装置２１がパケット（ＤＡＴＡ＃１）を第１のバッファに記憶させた場合を想定する。
そして、中継装置２１は、図１５のステップＳ４０１へ戻り、ステップＳ４０１〜ステップＳ４０７の処理を繰り返し実行する。なお、ステップＳ４０５〜ステップＳ４０７の処理については後述する。
【０１２７】
同様に、中継装置２１は、サーバ装置１１からパケット（ＤＡＴＡ＃２）を受信する（図１２のステップＳ１１０）と、ＡＣＫ信号（ＡＣＫ＃２）をパケットに設定された送信元（本例では、サーバ装置１１）へ送信する（図１２のステップＳ１１１）。ここでは、中継装置２１がパケット（ＤＡＴＡ＃２）を第２のバッファに記憶させた場合を想定する。
【０１２８】
そして、中継装置２１は、第１のバッファに記憶されているパケット（ＤＡＴＡ＃１）を、サブコネクション＃１−１を用いることにより（即ち、サブコネクション＃１−１を介して）、移動局４１へ送信する（図１２のステップＳ１１４）。なお、本例では、サブコネクションにおけるパケットは、ＤＡＴＡ＃ｉ’とも表記される。また、サブコネクションにおけるＡＣＫ信号は、ＡＣＫ＃ｉ’とも表記される。
【０１２９】
移動局４１は、図１６にフローチャートにより示したＡＣＫ送信処理を実行する。具体的には、移動局４１は、基地局＃１，＃２，＃３のいずれかからパケットを受信したか否かを判定する（図１６のステップＳ５０１）。上記仮定に従えば、移動局４１は、サブコネクション＃１−１を経由して（即ち、基地局＃２を経由して）、パケットＤＡＴＡ＃１’を受信する。
【０１３０】
従って、移動局４１は、「Ｙｅｓ」と判定し、サブコネクションを経由してパケットが受信されたか否かを判定する（図１６のステップＳ５０２）。この時点では、移動局４１は、「Ｙｅｓ」と判定し、サブコネクション＃１−１に対するＡＣＫ信号（ＡＣＫ＃１’）を送信する（図１６のステップＳ５０３、図１２のステップＳ１１５）。具体的には、移動局４１は、ＡＣＫ信号（ＡＣＫ＃１’）を、サブコネクション＃１−１に対するヘッダにて設定された送信元（本例では、中継装置２１）へサブコネクション＃１−１を介して送信する。
その後、移動局４１は、図１６のステップＳ５０１へ戻り、ステップＳ５０１〜ステップＳ５０５の処理を繰り返し実行する。なお、ステップＳ５０４〜ステップＳ５０５の処理については後述する。
【０１３１】
同様に、中継装置２１は、第２のバッファに記憶されているパケット（ＤＡＴＡ＃２）を、サブコネクション＃１−２を用いることにより、移動局４１へ送信する（図１２のステップＳ１１６）。そして、移動局４１は、サブコネクション＃１−２に対するＡＣＫ信号（ＡＣＫ＃２’）を送信する（図１２のステップＳ１１７）。具体的には、移動局４１は、ＡＣＫ信号（ＡＣＫ＃２’）を、サブコネクション＃１−２に対するヘッダにて設定された送信元（本例では、中継装置２１）へサブコネクション＃１−２を介して送信する。
【０１３２】
次いで、中継装置２１は、サーバ装置１１からパケット（ＤＡＴＡ＃３）を受信する（図１２のステップＳ１１８）。これにより、中継装置２１は、ＡＣＫ信号（ＡＣＫ＃３）を、受信されたパケットに設定された送信元（本例では、サーバ装置１１）へ送信する（図１２のステップＳ１１９）。
【０１３３】
その後、中継装置２１が上記パケット（ＤＡＴＡ＃３）を移動局４１へ送信する前に、移動局４１が、第１のセル及び第２のセルの両方に含まれる位置に配置された場合を想定する。
【０１３４】
この場合、移動局４１は、第１の無線通信方式に従った第１の無線通信を実行可能に基地局＃１に接続される（図１２のステップＳ１２０）。更に、移動局４１は、第２の無線通信方式に従った第２の無線通信を実行可能に基地局＃１に接続される（図１２のステップＳ１２１）。これにより、基地局＃１の状態は、第１の接続状態となり、且つ、第２の接続状態となる。従って、基地局＃１は、ＬＡ接続状態通知を中継装置２１へ送信する（図１２のステップＳ１２２）。
【０１３５】
この時点では、中継装置２１が、図１４のステップＳ３０４に進んだとき、未送達パケットが存在する。即ち、第１のバッファ又は第２のバッファが、移動局４１が宛先として設定されたパケット（ＤＡＴＡ＃３）を記憶している。このパケットは、ＡＣＫ信号（確認応答）が移動局４１から未だ受信されず且つ移動局４１へ送信するために保持されているパケット（即ち、未送達パケット）である。従って、中継装置２１は、未送達パケット（ＤＡＴＡ＃３）をフラグ情報とともに基地局＃１へ送信（転送）する（図１４のステップＳ３０４、図１２のステップＳ１２３）。
【０１３６】
基地局＃１は、中継装置２１により送信された未送達パケットが受信された場合、第１のＬＡ通信を実行することにより、未送達パケットをフラグ情報とともに移動局４１へ送信する（図１２のステップＳ１２４）。
【０１３７】
この時点では、移動局４１は、図１６のステップＳ５０２に進んだとき、「Ｎｏ」と判定し、パケットとともにフラグ情報を受信したか否かを判定する（図１６のステップＳ５０４）。上記仮定に従えば、移動局４１は、「Ｙｅｓ」と判定し、ＡＣＫ信号を送信することなく、ステップＳ５０１へ戻る。
【０１３８】
更に、この時点では、サブコネクション＃１−１，＃１−２が確立されている。従って、中継装置２１は、図１４のステップＳ３０５に進んだとき、確立されているサブコネクション＃１−１，＃１−２を解放する（図１４のステップＳ３０５、図１２のステップＳ１２５，Ｓ１２６）。
【０１３９】
次いで、中継装置２１は、サーバ装置１１からパケット（ＤＡＴＡ＃４）を受信する（図１２のステップＳ１２７）。この時点では、中継装置２１は、図１５のステップＳ４０２に進んだとき、「Ｎｏ」と判定し、中継装置２１の通信状態が第１のＬＡ通信用中継状態に設定されているか否かを判定する（図１５のステップＳ４０５）。この時点では、中継装置２１の通信状態は、第１のＬＡ通信用中継状態に設定されている。従って、中継装置２１は、「Ｙｅｓ」と判定し、受信されたパケット（ＤＡＴＡ＃４）を基地局＃１へ送信する（図１５のステップＳ４０６、図１２のステップＳ１２８）。その後、中継装置２１は、図１５のステップＳ４０１へ戻る。
【０１４０】
基地局＃１は、図１７にフローチャートにより示した無線通信処理を実行する。具体的には、基地局＃１は、中継装置２１からパケットを受信したか否かを判定する（図１７のステップＳ６０１）。上記仮定に従えば、基地局＃１は、「Ｙｅｓ」と判定し、基地局＃１の通信状態が第１のＬＡ通信状態に設定されているか否かを判定する（図１７のステップＳ６０２）。
【０１４１】
この時点では、基地局＃１の通信状態は、第１のＬＡ通信状態に設定されている。従って、基地局＃１は、「Ｙｅｓ」と判定し、受信されたパケット（ＤＡＴＡ＃４）を第１のＬＡ通信により移動局４１へ送信する（図１７のステップＳ６０３、図１２のステップＳ１２９）。その後、基地局＃１は、図１７のステップＳ６０１へ戻り、ステップＳ６０１〜ステップＳ６０５の処理を繰り返し実行する。なお、ステップＳ６０４〜ステップＳ６０５の処理については後述する。
【０１４２】
これにより、移動局４１は、基地局＃１からパケット（ＤＡＴＡ＃４）を受信する。この時点では、移動局４１は、図１６のステップＳ５０４に進んだとき、「Ｎｏ」と判定し、メインコネクション＃１に対するＡＣＫ信号（ＡＣＫ＃４）を送信する（図１６のステップＳ５０５、図１２のステップＳ１３０）。具体的には、移動局４１は、ＡＣＫ信号（ＡＣＫ＃４）を、メインコネクション＃１に対するヘッダにて設定された送信元（本例では、サーバ装置１１）へメインコネクション＃１を介して送信する。その後、移動局４１は、図１６のステップＳ５０１へ戻る。
【０１４３】
基地局＃１は、移動局４１から受信したＡＣＫ信号（ＡＣＫ＃４）を中継装置２１へ中継（転送）する（図１２のステップＳ１３１）。中継装置２１は、基地局＃１から受信したＡＣＫ信号をサーバ装置１１へ中継する（図１２のステップＳ１３２）。
【０１４４】
なお、中継装置２１は、図１４のステップＳ３０６に進んだ場合において、第１の通信路又は第２の通信路の一方のみを介して中継装置２１と移動局４１とが通信可能に接続されているとき、「Ｎｏ」と判定する。この場合、中継装置２１は、中継装置２１の通信状態を、第１の非ＬＡ通信用中継状態、又は、第２の非ＬＡ通信用中継状態に設定する（図１４のステップＳ３０９）。
【０１４５】
具体的には、中継装置２１は、第１の通信路のみを介して中継装置２１と移動局４１とが通信可能に接続されている場合、中継装置２１の通信状態を第１の非ＬＡ通信用中継状態に設定する。また、中継装置２１は、第２の通信路のみを介して中継装置２１と移動局４１とが通信可能に接続されている場合、中継装置２１の通信状態を第２の非ＬＡ通信用中継状態に設定する。
その後、中継装置２１は、図１４のステップＳ３０１へ戻る。
【０１４６】
また、中継装置２１は、図１５のステップＳ４０５に進んだ場合において、中継装置２１の通信状態が第１のＬＡ通信用中継状態に設定されていないとき、「Ｎｏ」と判定する。この場合、中継装置２１は、受信されたパケットを接続先基地局（接続先ＢＳ）へ送信する（図１５のステップＳ４０７）。接続先基地局は、移動局４１が通信可能に接続されている基地局＃１，＃２，＃３である。この場合、接続先基地局は、中継装置２１から受信したパケットを移動局４１へ送信する。
その後、中継装置２１は、図１５のステップＳ４０１へ戻る。
【０１４７】
また、基地局＃１は、図１７のステップＳ６０２に進んだ場合において、基地局＃１の通信状態が第１のＬＡ通信状態に設定されていないとき、「Ｎｏ」と判定する。この場合、基地局＃１は、基地局＃１の通信状態が、第１の無線通信状態、又は、第２の無線通信状態に設定されているか否かを判定する（図１７のステップＳ６０４）。
【０１４８】
そして、基地局＃１の通信状態が、第１の無線通信状態、又は、第２の無線通信状態に設定されている場合、基地局＃１は、「Ｙｅｓ」と判定する。次いで、基地局＃１は、第１の無線通信状態、又は、第２の無線通信状態により、受信されたパケットを移動局４１へ送信する（図１７のステップＳ６０５）。
【０１４９】
具体的には、基地局＃１は、基地局＃１の通信状態が第１の無線通信状態に設定されている場合、第１の無線通信状態によりパケットを送信する。同様に、基地局＃１は、基地局＃１の通信状態が第２の無線通信状態に設定されている場合、第２の無線通信状態によりパケットを送信する。その後、基地局＃１は、図１７のステップＳ６０１へ戻る。
【０１５０】
また、基地局＃１の通信状態が非通信状態に設定されている場合、基地局＃１は、図１７のステップＳ６０４にて「Ｎｏ」と判定する。この場合、基地局＃１は、パケットを送信することなく、図１７のステップＳ６０１へ戻る。
【０１５１】
なお、上述した作動においては、移動局４１が第１のセル及び第２のセルの両方に含まれる位置に配置された後に、移動局４１が第３のセル及び第４のセルの両方に含まれる位置に配置された場合を想定していた。ところで、移動局４１が第１のセル及び第２のセルの両方に含まれる位置に配置されることなく、移動局４１が第３のセル及び第４のセルの両方に含まれる位置に配置された場合についても、無線通信システム１は、上述した場合と同様に作動する。
【０１５２】
具体的には、無線通信システム１は、図１２に示した処理から、ステップＳ１０２〜ステップＳ１０７の処理を省略した処理を実行する。なお、この場合、初期状態において記憶されている情報として、図１２のステップＳ１０７の処理が終了した時点と同様の情報が予め設定されていることが好適である。
【０１５３】
以上、説明したように、第１実施形態に係る無線通信システム１によれば、基地局＃１は、基地局＃１の状態がＬＡ接続状態であると判定された場合、基地局＃１の状態がＬＡ接続状態であることを表す状態通知（ＬＡ接続状態通知）を中継装置２１へ送信する。更に、基地局＃１は、この場合、第１のＬＡ通信を実行するように基地局＃１を制御する。加えて、中継装置２１は、基地局＃１からＬＡ接続状態通知が受信された場合、第２のＬＡ通信を実行しないように中継装置２１を制御する。
【０１５４】
これによれば、基地局＃１の状態がＬＡ接続状態である場合、ＬＡ接続状態通知が基地局＃１から中継装置２１へ送信される。これにより、中継装置２１は、基地局＃１が移動局４１との間で第１のＬＡ通信を実行可能であることを認識できる。更に、この場合、中継装置２１は、第２のＬＡ通信を実行しない。一方、基地局＃１は、第１のＬＡ通信を実行する。
【０１５５】
従って、例えば、基地局＃１による第１のＬＡ通信と、中継装置２１による第２のＬＡ通信と、の両方が実行可能な場合において、無線通信システム１は、第１のＬＡ通信のみを実行することができる。この結果、無線通信システム１が第２のＬＡ通信を実行する場合と比較して、単位時間あたりに移動局４１へ伝送されるデータ量であるスループットを高めることができる。
【０１５６】
また、第１実施形態に係る無線通信システム１によれば、基地局＃１は、基地局＃１の状態がＬＡ接続状態でないと判定された場合、基地局＃１の状態がＬＡ接続状態でないことを表す状態通知（ＬＡ未接続状態通知）を中継装置２１へ送信する。更に、基地局＃１は、この場合、第１のＬＡ通信を実行しないように基地局＃１を制御する。加えて、中継装置２１は、基地局＃１からＬＡ未接続状態通知が受信された場合、第２のＬＡ通信を実行するように中継装置２１を制御する。
【０１５７】
これによれば、基地局＃１の状態がＬＡ接続状態でない場合、ＬＡ未接続状態通知が基地局＃１から中継装置２１へ送信される。これにより、中継装置２１は、基地局＃１が移動局４１との間で第１のＬＡ通信を実行不能であることを認識できる。更に、この場合、中継装置２１は、第２のＬＡ通信を実行する。
【０１５８】
従って、例えば、基地局＃１による第１のＬＡ通信が実行可能な状態から、基地局＃１による第１のＬＡ通信が実行不能な状態へ、無線通信システム１の状態が変化した場合、無線通信システム１は、迅速に第２のＬＡ通信を実行することができる。この結果、無線通信システム１が第２のＬＡ通信を実行しない場合と比較して、スループットを高めることができる。
【０１５９】
また、第１実施形態に係る無線通信システム１によれば、中継装置２１は、第２のＬＡ通信を実行している場合において、基地局＃１からＬＡ接続状態通知が受信されたとき、未送達パケットを基地局＃１へ転送する。更に、基地局＃１は、第１のＬＡ通信を実行することにより、中継装置２１から転送された未送達パケットを移動局４１へ送信する。
【０１６０】
これによれば、第２のＬＡ通信を実行している状態から第１のＬＡ通信を実行している状態へ無線通信システム１の状態が切り替わった場合であっても、移動局４１へ送信される予定のパケットを確実に移動局４１へ送信することができる。
特に、ＴＣＰにおける輻輳制御においては、パケットロスが多いと、送信レートが比較的大きく低下させられる。このため、スループットが比較的大きく低下してしまう。これに対し、第１実施形態に係る無線通信システム１によれば、未送達パケットのロスを回避することができるので、より確実にスループットを高めることができる。
【０１６１】
また、第１実施形態に係る無線通信システム１によれば、中継装置２１は、第２のＬＡ通信を実行している場合において、移動局４１が宛先として設定されたパケットを受信したとき、確認応答を、当該パケットに設定された送信元へ送信する。更に、基地局＃１は、未送達パケットをフラグ情報とともに移動局４１へ送信する。加えて、移動局４１は、パケットが第１のＬＡ通信によって受信され且つ当該パケットとともにフラグ情報が受信された場合、及び、パケットが第２のＬＡ通信によって受信された場合、確認応答を外部へ送信しない。更に、移動局４１は、パケットが第１のＬＡ通信によって受信され且つ当該パケットとともにフラグ情報が受信されなかった場合、確認応答を当該パケットに設定された送信元へ送信する。
【０１６２】
これによれば、無線通信システム１は、パケットに設定された送信元へ確認応答を迅速に送信することができる。この結果、送信元と中継装置２１との間のスループットが無駄に低下することを回避できる。
更に、中継装置２１によって既に確認応答が送信されたパケットに対して、移動局４１が確認応答を送信することを回避できる。これにより、移動局４１と基地局＃１との間の無線通信路の通信帯域が無駄に減少することを回避できる。
【０１６３】
また、第１実施形態に係る無線通信システム１によれば、中継装置２１は、中継装置２１と移動局４１とを接続する複数の通信路のそれぞれとして、所定の通信プロトコルに従って確立されたコネクションを用いることにより第２のＬＡ通信を実行する。更に、中継装置２１は、第２のＬＡ通信を実行している場合において、基地局＃１からＬＡ接続状態通知が受信されたとき、確立されたコネクションを解放する。
【０１６４】
これによれば、第２のＬＡ通信を実行している状態から第１のＬＡ通信を実行している状態へ無線通信システム１の状態が切り替わった場合に、コネクションが確立された状態が無駄に継続することを回避できる。
【０１６５】
＜第２実施形態＞
次に、本発明の第２実施形態に係る無線通信システムについて説明する。第２実施形態に係る無線通信システムは、第１実施形態に係る無線通信システムに対して、基地局が第１のＬＡ通信を実行している場合において、基地局の状態がＬＡ接続状態でないと判定されたとき、未送達パケットを中継装置へ転送する点において相違している。以下、かかる相違点を中心として説明する。なお、第２実施形態の説明において、上記第１実施形態にて使用した符号と同じ符号を付したものは、同一又は略同様のものである。
【０１６６】
（機能）
図１８に示したように、第２実施形態に係る基地局＃１の機能は、通信処理部３１０４に代えて、通信処理部（第１の転送手段）３１０４Ａを含む。
通信処理部３１０４Ａは、通信処理部３１０４と同様の機能を有する。更に、通信処理部３１０４Ａは、バッファ管理部３１０４ｂを含む。
【０１６７】
バッファ管理部３１０４ｂは、第１のＬＡ通信によって伝送されるパケットを一時的に記憶する、第３のバッファ及び第４のバッファを管理する。第３のバッファは、第１の無線通信によって伝送されるパケットを一時的に記憶する。同様に、第４のバッファは、第２の無線通信によって伝送されるパケットを一時的に記憶する。第３のバッファ及び第４のバッファは、記憶装置３１２により構成される。
【０１６８】
バッファ管理部３１０４ｂは、第３のバッファに記憶されているパケットを第１の無線通信装置３１３へ出力する。同様に、バッファ管理部３１０４ｂは、第４のバッファに記憶されているパケットを第２の無線通信装置３１４へ出力する。
【０１６９】
バッファ管理部３１０４ｂは、出力されたパケットのうちの、移動局４１によって正しく受信されたパケットを第３のバッファ及び第４のバッファから削除（消去）する。本例では、バッファ管理部３１０４ｂは、移動局４１からサーバ装置１１へ送信された確認応答を受信することにより、パケットが移動局４１によって正しく受信されたことを認識する。なお、バッファ管理部３１０４ｂは、第１の無線通信装置３１３又は第２の無線通信装置３１４へ出力されたパケットのすべてが、移動局４１によって正しく受信されたと認識してもよい。
【０１７０】
通信処理部３１０４Ａは、第１のＬＡ通信状態において、基地局＃１の状態がＬＡ接続状態でないと判定された場合、未送達パケットを中継装置２１へ転送（送信）する。未送達パケットは、サーバ装置１１から受信されたパケットのうちの、移動局４１が宛先として設定され且つ第３のバッファ及び第４のバッファに記憶されているパケットである。即ち、未送達パケットは、移動局４１によって未だ正しく受信されておらず且つ移動局４１へ送信するために保持されているパケットである、と言える。
【０１７１】
図１９に示したように、第２実施形態に係る中継装置２１の機能は、通信処理部２１０３に代えて、通信処理部（第２の通信手段）２１０３Ａを含む。通信処理部２１０３Ａは、透過型プロキシ部２１０３ｄに代えて、透過型プロキシ部（第２の送信手段）２１０３ｄＡを含む点を除いて、通信処理部２１０３と同様の機能を有する。
更に、通信処理部２１０３Ａは、基地局＃１により転送された未送達パケットが受信された場合、第２のＬＡ通信を実行することにより、未送達パケットを移動局４１へ送信する。
【０１７２】
透過型プロキシ部２１０３ｄＡは、透過型プロキシ部２１０３ｄと同様の機能を有する。更に、透過型プロキシ部２１０３ｄＡは、基地局＃１から未送達パケットとしてのパケットが受信された場合、確認応答を、当該パケットに設定された送信元（例えば、サーバ装置１１）へ送信する。確認応答は、上記パケットが移動局４１によって正しく受信されたことを表す情報である。本例では、透過型プロキシ部２１０３ｄＡは、確認応答として、ＡＣＫ信号を送信する。このＡＣＫ信号は、パケットの宛先として設定された移動局４１に代わって、中継装置２１によって送信されるため、疑似ＡＣＫ信号とも呼ばれる。
【０１７３】
（作動）
次に、第２実施形態に係る無線通信システム１の作動について、図２０及び図２１を参照しながら説明する。
第２実施形態に係る基地局＃１は、図１３に示した接続判定処理に代えて、図２１にフローチャートにより示した接続判定処理を実行する。図２１に示した接続判定処理は、図１３に示した接続判定処理に、ステップＳ７０１の処理をステップＳ２０５とステップＳ２０６との間に追加した処理である。
【０１７４】
第２実施形態に係る無線通信システム１は、図１２に示した処理を、第１実施形態に係る無線通信システム１と同様に実行する。その後、中継装置２１は、サーバ装置１１からパケット（ＤＡＴＡ＃５）を受信する（図２０のステップＳ１４１）。この時点では、中継装置２１の通信状態は、第１のＬＡ通信用中継状態に設定されている。従って、中継装置２１は、受信されたパケット（ＤＡＴＡ＃５）を基地局＃１へ送信する（図２０のステップＳ１４２）。
【０１７５】
この時点にて、基地局＃１がパケット（ＤＡＴＡ＃５）を移動局４１へ送信する前に、移動局４１が、第１のセル及び第２のセルのいずれにも含まれず、且つ、第３のセル及び第４のセルの両方に含まれる位置に配置された場合を想定する。
【０１７６】
この場合、移動局４１と基地局＃１との間の接続＃１は切断される（図２０のステップＳ１４３）。同様に、移動局４１と基地局＃１との間の接続＃２は切断される（図２０のステップＳ１４４）。
一方、移動局４１は、第１の無線通信方式に従った第１の無線通信を実行可能に基地局＃２に接続される。同様に、移動局４１は、第２の無線通信方式に従った第２の無線通信を実行可能に基地局＃３に接続される。
【０１７７】
この時点では、基地局＃１は、図２１のステップＳ２０１に進んだとき、「Ｎｏ」と判定し、基地局＃１の状態が、ＬＡ接続状態からＬＡ未接続状態へ変化したか否かを判定する（図２１のステップＳ２０４）。上記仮定に従えば、基地局＃１は、「Ｙｅｓ」と判定し、ＬＡ未接続状態通知を中継装置２１へ送信する（図２１のステップＳ２０５、図２０のステップＳ１４５）。
【０１７８】
この時点では、未送達パケットが存在する。即ち、第３のバッファ又は第４のバッファが、移動局４１が宛先として設定されたパケット（ＤＡＴＡ＃５）を記憶している。このパケットは、ＡＣＫ信号（確認応答）が移動局４１から未だ受信されず且つ移動局４１へ送信するために保持されているパケット（即ち、未送達パケット）である。従って、基地局＃１は、未送達パケット（ＤＡＴＡ＃５）を中継装置２１へ送信（転送）する（図２１のステップＳ７０１、図２０のステップＳ１４６）。
【０１７９】
これにより、中継装置２１は、基地局＃１からパケット（ＤＡＴＡ＃５）を受信する。従って、中継装置２１が図１５のステップＳ４０１に進んだとき、「Ｙｅｓ」と判定し、中継装置２１の通信状態が第２のＬＡ通信状態に設定されているか否かを判定する（図１５のステップＳ４０２）。この時点では、中継装置２１の通信状態は、第２のＬＡ通信状態に設定されている。従って、中継装置２１は、「Ｙｅｓ」と判定し、ＡＣＫ信号（ＡＣＫ＃５）を、受信されたパケットに設定された送信元（本例では、サーバ装置１１）へ送信する（図１５のステップＳ４０３、図２０のステップＳ１４７）。
【０１８０】
その後、無線通信システム１は、図１２のステップＳ１１０〜ステップＳ１１７と同様に、図２０のステップＳ１４８〜ステップＳ１５５を実行する。これにより、パケット（ＤＡＴＡ＃５及びＤＡＴＡ＃６）が第２のＬＡ通信によって、中継装置２１から移動局４１へ送信される。
【０１８１】
以上、説明したように、第２実施形態に係る無線通信システム１は、第１実施形態に係る無線通信システム１と同様の作用及び効果を奏することができる。
更に、第２実施形態に係る無線通信システム１によれば、基地局＃１は、第１のＬＡ通信を実行している場合において、基地局＃１の状態がＬＡ接続状態でないと判定されたとき、未送達パケットを中継装置２１へ転送する。更に、中継装置２１は、第２のＬＡ通信を実行することにより、基地局＃１から転送された未送達パケットを移動局４１へ送信する。
【０１８２】
これによれば、第１のＬＡ通信を実行している状態から第２のＬＡ通信を実行している状態へ無線通信システム１の状態が切り替わった場合であっても、移動局４１へ送信される予定のパケットを確実に移動局４１へ送信することができる。
特に、ＴＣＰにおける輻輳制御においては、パケットロスが多いと、送信レートが比較的大きく低下させられる。このため、スループットが比較的大きく低下してしまう。これに対し、第２実施形態に係る無線通信システム１によれば、未送達パケットのロスを回避することができるので、より確実にスループットを高めることができる。
【０１８３】
また、第２実施形態に係る無線通信システム１によれば、中継装置２１は、基地局＃１から未送達パケットとしてのパケットが受信された場合、確認応答を、当該パケットに設定された送信元へ送信する。更に、移動局４１は、パケットが第１のＬＡ通信によって受信された場合、確認応答を当該パケットに設定された送信元へ送信する。加えて、移動局４１は、パケットが第２のＬＡ通信によって受信された場合、確認応答を外部へ送信しない。
【０１８４】
これによれば、無線通信システム１は、パケットに設定された送信元へ確認応答を迅速に送信することができる。この結果、送信元と中継装置２１との間のスループットが無駄に低下することを回避できる。
更に、中継装置２１によって既に確認応答が送信されたパケットに対して、移動局４１が確認応答を送信することを回避できる。これにより、移動局４１と基地局＃１との間の無線通信路の通信帯域が無駄に減少することを回避できる。
【０１８５】
＜第３実施形態＞
次に、本発明の第３実施形態に係る無線通信システムについて説明する。第３実施形態に係る無線通信システムは、第１実施形態に係る無線通信システムに対して、未送達パケットを第１のサブコネクションを介して移動局へ送信する点において相違している。以下、かかる相違点を中心として説明する。なお、第３実施形態の説明において、上記第１実施形態にて使用した符号と同じ符号を付したものは、同一又は略同様のものである。
【０１８６】
（機能）
図２２に示したように、第３実施形態に係る中継装置２１の機能は、通信処理部２１０３に代えて、通信処理部（第２の通信手段）２１０３Ｂを含む。
通信処理部２１０３Ｂは、プロトコル処理部２１０３ａに代えてプロトコル処理部２１０３ａＢを含む点、及び、バッファ管理部２１０３ｂに代えてバッファ管理部（第２の転送手段）２１０３ｂＢを含む点を除いて、通信処理部２１０３と同様の機能を有する。
【０１８７】
プロトコル処理部２１０３ａＢは、第２のＬＡ通信状態において、中継装置２１と移動局４１とを接続する第１の通信路にて、上記通信プロトコルに従ったコネクション（第１のサブコネクション）を第１のＬＡ通信路として確立する。同様に、プロトコル処理部２１０３ａＢは、第２のＬＡ通信状態において、中継装置２１と移動局４１とを接続する第２の通信路にて、上記通信プロトコルに従ったコネクション（第２のサブコネクション）を第２のＬＡ通信路として確立する。なお、第１のサブコネクションは、サブコネクション＃１−１とも表記される。また、第２のサブコネクションは、サブコネクション＃１−２とも表記される。
【０１８８】
本例では、上述したように、第１の無線通信方式は、ＬＴＥである。ＬＴＥにおいて確立されるコネクションは、基地局がハンドオーバを行なうことにより、コネクションが有する経路が変化した場合であっても、移動局４１に割り当てられるＩＰアドレスを維持可能なアドレス維持コネクションである。ＩＰは、Ｉｎｔｅｒｎｅｔ  Ｐｒｏｔｏｃｏｌの略記である。従って、本例では、第１のサブコネクションは、アドレス維持コネクションである。なお、第１の無線通信方式は、アドレス維持コネクションを確立可能な他の無線通信方式であってもよい。
【０１８９】
更に、プロトコル処理部２１０３ａＢは、第２のＬＡ通信状態において、基地局＃１からＬＡ接続状態通知が受信された場合、確立されているサブコネクションのうちの、アドレス維持コネクション以外のサブコネクションを解放する。即ち、本例では、この場合、プロトコル処理部２１０３ａＢは、第２のサブコネクションのみを解放する。
【０１９０】
バッファ管理部２１０３ｂＢは、未送達パケットを基地局＃１へ送信することに代えて、未送達パケットを第１のサブコネクションを介して移動局４１へ送信する点を除いて、バッファ管理部２１０３ｂと同様の機能を有する。具体的には、バッファ管理部２１０３ｂＢは、第２のＬＡ通信状態において、基地局＃１からＬＡ接続状態通知が受信された場合、未送達パケットを第１のバッファに記憶させる。
【０１９１】
これにより、バッファ管理部２１０３ｂＢは、第１のバッファに記憶されているパケットを第１のサブコネクションにて送信する。即ち、バッファ管理部２１０３ｂＢは、未送達パケットを第１のサブコネクション（アドレス維持コネクション）を介して移動局４１へ送信する。未送達パケットは、サーバ装置１１から受信されたパケットのうちの、移動局４１が宛先として設定され且つ第１のバッファ及び第２のバッファに記憶されているパケットである。
【０１９２】
（作動）
次に、第３実施形態に係る無線通信システム１の作動について、図２３及び図２４を参照しながら説明する。
第３実施形態に係る中継装置２１は、図１４に示した通信状態制御処理に代えて、図２４にフローチャートにより示した通信状態制御処理を実行する。図２４に示した通信状態制御処理は、図１４に示した通信状態制御処理のステップＳ３０４〜ステップＳ３０５の処理を、ステップＳ８０１〜ステップＳ８０２の処理に置換した処理である。
第３実施形態に係る無線通信システム１は、図２３のステップＳ１０１〜ステップＳ１２２の処理を、第１実施形態に係る無線通信システム１と同様に実行する。
【０１９３】
この時点では、中継装置２１が、図２４のステップＳ８０１に進んだとき、未送達パケットが存在する。即ち、第１のバッファ又は第２のバッファが、移動局４１が宛先として設定されたパケット（ＤＡＴＡ＃３）を記憶している。このパケットは、ＡＣＫ信号（確認応答）が移動局４１から未だ受信されず且つ移動局４１へ送信するために保持されているパケット（即ち、未送達パケット）である。従って、中継装置２１は、サブコネクション＃１−１を介して未送達パケット（ＤＡＴＡ＃３’）を移動局４１へ送信（転送）する（図２４のステップＳ８０１、図２３のステップＳ１６１）。
【０１９４】
更に、この時点では、サブコネクション＃１−１，＃１−２が確立されている。従って、中継装置２１は、図２４のステップＳ８０２に進んだとき、確立されているサブコネクション＃１−１，＃１−２のうちの、サブコネクション＃１−２のみを解放する（図２４のステップＳ８０２、図２３のステップＳ１２６）。
【０１９５】
一方、移動局４１は、中継装置２１から未送達パケット（ＤＡＴＡ＃３’）を受信する。この時点では、移動局４１は、図１６のステップＳ５０２に進んだとき、「Ｙｅｓ」と判定し、サブコネクション＃１−１に対するＡＣＫ信号（ＡＣＫ＃３’）を送信する（図１６のステップＳ５０３、図２３のステップＳ１６２）。具体的には、移動局４１は、ＡＣＫ信号（ＡＣＫ＃３’）を、サブコネクション＃１−１に対するヘッダにて設定された送信元（本例では、中継装置２１）へサブコネクション＃１−１を介して送信する。
【０１９６】
その後、第３実施形態に係る無線通信システム１は、図２３のステップＳ１２７〜ステップＳ１３２の処理を、第１実施形態に係る無線通信システム１と同様に実行する。
【０１９７】
以上、説明したように、第３実施形態に係る無線通信システム１は、第１実施形態に係る無線通信システム１と同様の作用及び効果を奏することができる。
更に、第３実施形態に係る無線通信システム１によれば、中継装置２１は、第２のＬＡ通信を実行している場合において、基地局＃１からＬＡ接続状態通知が受信されたとき、未送達パケットをアドレス維持コネクションを介して移動局４１へ送信する。
【０１９８】
これによれば、第２のＬＡ通信を実行している状態から第１のＬＡ通信を実行している状態へ無線通信システム１の状態が切り替わった場合であっても、移動局４１へ送信される予定のパケットを確実に移動局４１へ送信することができる。
特に、ＴＣＰにおける輻輳制御においては、パケットロスが多いと、送信レートが比較的大きく低下させられる。このため、スループットが比較的大きく低下してしまう。これに対し、第３実施形態に係る無線通信システム１によれば、未送達パケットのロスを回避することができるので、より確実にスループットを高めることができる。
【０１９９】
また、第３実施形態に係る無線通信システム１によれば、中継装置２１は、第２のＬＡ通信を実行している場合において、移動局４１が宛先として設定されたパケットを受信したとき、確認応答を当該パケットに設定された送信元へ送信する。更に、移動局４１は、パケットがサブコネクションを介して受信されなかった場合、確認応答を当該パケットに設定された送信元へ送信する。加えて、移動局４１は、パケットがサブコネクションを介して受信された場合、確認応答を外部へ送信しない。
【０２００】
これによれば、無線通信システム１は、パケットに設定された送信元へ確認応答を迅速に送信することができる。この結果、送信元と中継装置２１との間のスループットが無駄に低下することを回避できる。
更に、中継装置によって既に確認応答が送信されたパケットに対して、移動局４１が確認応答を送信することを回避できる。これにより、移動局４１と基地局＃１との間の無線通信路の通信帯域が無駄に減少することを回避できる。
【０２０１】
また、第３実施形態に係る無線通信システム１によれば、中継装置２１は、第２のＬＡ通信を実行している場合に、基地局＃１からＬＡ接続状態通知が受信されたとき、サブコネクションのうちの、アドレス維持コネクション以外のサブコネクションを解放する。
【０２０２】
これによれば、第２のＬＡ通信を実行している状態から第１のＬＡ通信を実行している状態へ無線通信システム１の状態が切り替わった場合に、アドレス維持コネクション以外のサブコネクションが確立された状態が無駄に継続することを回避できる。
【０２０３】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０２０４】
また、本発明の趣旨を逸脱しない範囲内において、上記実施形態の他の変形例として、上述した実施形態及び変形例の任意の組み合わせが採用されてもよい。
【０２０５】
＜付記＞
上記実施形態の一部又は全部は、以下の付記のように記載され得るが、以下には限られない。
【０２０６】
（付記１）
移動局と、当該移動局と無線により通信可能に構成された基地局と、当該基地局よりも上位側に配置され且つ当該基地局と通信可能に構成された中継装置と、を備える無線通信システムであって、
前記基地局は、
前記基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行する第１の通信手段と、
前記基地局の状態が、前記第１のＬＡ通信を実行可能に前記移動局と接続されているＬＡ接続状態であるか否かを判定する第１の判定手段と、
前記基地局の状態が前記ＬＡ接続状態であるか否かを表す状態通知を前記中継装置へ送信する第１の送信手段と、
前記基地局の状態が前記ＬＡ接続状態であるか否かに基づいて前記第１のＬＡ通信を実行するように前記第１の通信手段を制御する第１の制御手段と、
を備え、
前記中継装置は、
前記中継装置と前記移動局とを接続する複数の通信路へパケットを分配することにより当該パケットを伝送する通信である第２のＬＡ通信を実行する第２の通信手段と、
前記基地局から前記状態通知を受信する第２の受信手段と、
前記状態通知に基づいて前記第２のＬＡ通信を実行するように前記第２の通信手段を制御する第２の制御手段と、
を備える、無線通信システム。
【０２０７】
（付記２）
付記１に記載の無線通信システムであって、
前記第１の送信手段は、前記基地局の状態が前記ＬＡ接続状態であると判定された場合、当該基地局の状態が当該ＬＡ接続状態であることを表す前記状態通知を前記中継装置へ送信し、
前記第１の制御手段は、前記基地局の状態が前記ＬＡ接続状態であると判定された場合、前記第１のＬＡ通信を実行するように前記第１の通信手段を制御し、
前記第２の制御手段は、前記基地局の状態が前記ＬＡ接続状態であることを前記状態通知が示す場合、前記第２のＬＡ通信を実行しないように前記第２の通信手段を制御する、無線通信システム。
【０２０８】
（付記３）
付記１又は付記２に記載の無線通信システムであって、
前記第１の送信手段は、前記基地局の状態が前記ＬＡ接続状態でないと判定された場合、当該基地局の状態が当該ＬＡ接続状態でないことを表す前記状態通知を前記中継装置へ送信し、
前記第１の制御手段は、前記基地局の状態が前記ＬＡ接続状態でないと判定された場合、前記第１のＬＡ通信を実行しないように前記第１の通信手段を制御し、
前記第２の制御手段は、前記基地局の状態が前記ＬＡ接続状態でないことを前記状態通知が示す場合、前記第２のＬＡ通信を実行するように前記第２の通信手段を制御する、無線通信システム。
【０２０９】
（付記４）
付記１乃至付記３のいずれか一項に記載の無線通信システムであって、
前記中継装置は、
前記第２のＬＡ通信を実行している場合において、前記基地局の状態が前記ＬＡ接続状態であることを示す前記状態通知が受信されたとき、前記移動局によって未だ正しく受信されておらず且つ当該移動局へ送信するために保持されている未送達パケットを前記基地局へ転送する第２の転送手段を備え、
前記第１の通信手段は、
前記第１のＬＡ通信を実行することにより、前記中継装置から転送された前記未送達パケットを前記移動局へ送信する、無線通信システム。
【０２１０】
（付記５）
付記４に記載の無線通信システムであって、
前記中継装置は、
前記第２のＬＡ通信を実行している場合において、前記移動局が宛先として設定されたパケットを受信したとき、当該パケットが前記移動局によって正しく受信されたことを表す確認応答を、当該パケットに設定された送信元へ送信する第２の送信手段を備え、
前記第１の通信手段は、
前記未送達パケットを、パケットに対する確認応答が既に送信されていることを表すフラグ情報とともに前記移動局へ送信し、
前記移動局は、
前記パケットが前記第１のＬＡ通信によって受信され且つ当該パケットとともに前記フラグ情報が受信された場合、及び、前記パケットが前記第２のＬＡ通信によって受信された場合、当該パケットが前記移動局によって正しく受信されたことを表す確認応答を外部へ送信せず、前記パケットが前記第１のＬＡ通信によって受信され且つ当該パケットとともに前記フラグ情報が受信されなかった場合、当該確認応答を当該パケットに設定された送信元へ送信する第３の送信手段を備える、無線通信システム。
【０２１１】
（付記６）
付記４又は付記５に記載の無線通信システムであって、
前記第２の通信手段は、
前記中継装置と前記移動局とを接続する前記複数の通信路のそれぞれとして、所定の通信プロトコルに従ったコネクションを確立し、当該確立されたコネクションを用いることにより前記第２のＬＡ通信を実行し、
前記第２のＬＡ通信を実行している場合において、前記基地局の状態が前記ＬＡ接続状態であることを示す前記状態通知が受信されたとき、前記確立されたコネクションを解放する、無線通信システム。
【０２１２】
（付記７）
付記１乃至付記３のいずれか一項に記載の無線通信システムであって、
前記第２の通信手段は、
前記中継装置と前記移動局とを接続する前記複数の通信路のそれぞれとして、所定の通信プロトコルに従ったコネクションを確立し、当該確立されたコネクションを用いることにより前記第２のＬＡ通信を実行し、
前記確立された複数のコネクションの少なくとも１つは、当該コネクションが有する経路が変化した場合であっても、前記移動局に割り当てられるＩＰ（Ｉｎｔｅｒｎｅｔ  Ｐｒｏｔｏｃｏｌ）アドレスを維持可能なアドレス維持コネクションであり、
前記第２の転送手段は、
前記第２のＬＡ通信を実行している場合において、前記基地局の状態が前記ＬＡ接続状態であることを示す前記状態通知が受信されたとき、前記移動局によって未だ正しく受信されておらず且つ当該移動局へ送信するために保持されている未送達パケットを、前記アドレス維持コネクションを介して前記移動局へ送信する、無線通信システム。
【０２１３】
（付記８）
付記７に記載の無線通信システムであって、
前記中継装置は、
前記第２のＬＡ通信を実行している場合において、前記移動局が宛先として設定されたパケットを受信したとき、当該パケットが前記移動局によって正しく受信されたことを表す確認応答を、当該パケットに設定された送信元へ送信する第２の送信手段を備え、
前記移動局は、
前記パケットが前記コネクションを介して受信されなかった場合、当該パケットが前記移動局によって正しく受信されたことを表す確認応答を当該パケットに設定された送信元へ送信し、前記パケットが前記コネクションを介して受信された場合、当該確認応答を外部へ送信しない第３の送信手段を備える、無線通信システム。
【０２１４】
（付記９）
付記７又は付記８に記載の無線通信システムであって、
前記第２の通信手段は、
前記第２のＬＡ通信を実行している場合において、前記基地局の状態が前記ＬＡ接続状態であることを示す前記状態通知が受信されたとき、前記コネクションのうちの、前記アドレス維持コネクション以外のコネクションを解放する、無線通信システム。
【０２１５】
（付記１０）
付記１乃至付記９のいずれか一項に記載の無線通信システムであって、
前記基地局は、
前記第１のＬＡ通信を実行している場合において、前記基地局の状態が前記ＬＡ接続状態でないと判定されたとき、前記移動局によって未だ正しく受信されておらず且つ当該移動局へ送信するために保持されている未送達パケットを前記中継装置へ転送する第１の転送手段を備え、
前記第２の通信手段は、
前記第２のＬＡ通信を実行することにより、前記基地局から転送された前記未送達パケットを前記移動局へ送信する、無線通信システム。
【０２１６】
（付記１１）
付記１０に記載の無線通信システムであって、
前記中継装置は、
前記基地局から前記未送達パケットとしてのパケットが受信された場合、及び、前記第２のＬＡ通信を実行しており且つ前記移動局が宛先として設定されたパケットを受信した場合、当該パケットが当該移動局によって正しく受信されたことを表す確認応答を、当該パケットに設定された送信元へ送信する第２の送信手段を備え、
前記移動局は、
前記パケットが前記第１のＬＡ通信によって受信された場合、前記確認応答を当該パケットに設定された送信元へ送信し、前記パケットが前記第２のＬＡ通信によって受信された場合、当該確認応答を外部へ送信しない第３の送信手段を備える、無線通信システム。
【０２１７】
（付記１２）
移動局と、当該移動局と無線により通信可能に構成された基地局と、当該基地局よりも上位側に配置され且つ当該基地局と通信可能に構成された中継装置と、を備える無線通信システムに適用される無線通信方法であって、
前記基地局が、
前記基地局の状態が、当該基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行可能に当該移動局と接続されているＬＡ接続状態であるか否かを判定し、
前記基地局の状態が前記ＬＡ接続状態であるか否かを表す状態通知を前記中継装置へ送信し、
前記基地局の状態が前記ＬＡ接続状態であるか否かに基づいて前記第１のＬＡ通信を実行するように当該基地局を制御し、
前記中継装置が、
前記基地局から前記状態通知を受信し、
前記状態通知に基づいて、前記中継装置と前記移動局とを接続する複数の通信路へパケットを分配することにより当該パケットを伝送する通信である第２のＬＡ通信を実行するように前記中継装置を制御する、
無線通信方法。
【０２１８】
（付記１３）
付記１２に記載の無線通信方法であって、
前記基地局が、
前記基地局の状態が前記ＬＡ接続状態であると判定された場合、当該基地局の状態が当該ＬＡ接続状態であることを表す前記状態通知を前記中継装置へ送信し、
前記基地局の状態が前記ＬＡ接続状態であると判定された場合、前記第１のＬＡ通信を実行するように当該基地局を制御し、
前記中継装置が、
前記基地局の状態が前記ＬＡ接続状態であることを前記状態通知が示す場合、前記第２のＬＡ通信を実行しないように前記中継装置を制御する、無線通信方法。
【０２１９】
（付記１４）
付記１２又は付記１３に記載の無線通信方法であって、
前記基地局が、
前記基地局の状態が前記ＬＡ接続状態でないと判定された場合、当該基地局の状態が当該ＬＡ接続状態でないことを表す前記状態通知を前記中継装置へ送信し、
前記基地局の状態が前記ＬＡ接続状態でないと判定された場合、前記第１のＬＡ通信を実行しないように前記基地局を制御し、
前記中継装置が、
前記基地局の状態が前記ＬＡ接続状態でないことを前記状態通知が示す場合、前記第２のＬＡ通信を実行するように前記中継装置を制御する、無線通信方法。
【０２２０】
（付記１５）
移動局と、当該移動局と無線により通信可能に構成された基地局と、当該基地局よりも上位側に配置され且つ当該基地局と通信可能に構成された中継装置と、を備える無線通信システムの前記基地局であって、
前記基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行する第１の通信手段と、
前記基地局の状態が、前記第１のＬＡ通信を実行可能に前記移動局と接続されているＬＡ接続状態であるか否かを判定する第１の判定手段と、
前記基地局の状態が前記ＬＡ接続状態であるか否かを表す状態通知を前記中継装置へ送信する第１の送信手段と、
前記基地局の状態が前記ＬＡ接続状態であるか否かに基づいて前記第１のＬＡ通信を実行するように前記第１の通信手段を制御する第１の制御手段と、
を備える、基地局。
【０２２１】
（付記１６）
付記１５に記載の基地局であって、
前記第１の送信手段は、前記基地局の状態が前記ＬＡ接続状態であると判定された場合、当該基地局の状態が当該ＬＡ接続状態であることを表す前記状態通知を前記中継装置へ送信し、
前記第１の制御手段は、前記基地局の状態が前記ＬＡ接続状態であると判定された場合、前記第１のＬＡ通信を実行するように前記第１の通信手段を制御する、基地局。
【０２２２】
（付記１７）
付記１５又は付記１６に記載の基地局であって、
前記第１の送信手段は、前記基地局の状態が前記ＬＡ接続状態でないと判定された場合、当該基地局の状態が当該ＬＡ接続状態でないことを表す前記状態通知を前記中継装置へ送信し、
前記第１の制御手段は、前記基地局の状態が前記ＬＡ接続状態でないと判定された場合、前記第１のＬＡ通信を実行しないように前記第１の通信手段を制御する、基地局。
【０２２３】
（付記１８）
移動局と、当該移動局と無線により通信可能に構成された基地局と、当該基地局よりも上位側に配置され且つ当該基地局と通信可能に構成された中継装置と、を備える無線通信システムの前記中継装置であって、
前記中継装置と前記移動局とを接続する複数の通信路へパケットを分配することにより当該パケットを伝送する通信である第２のＬＡ通信を実行する第２の通信手段と、
前記基地局の状態が、当該基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信を実行可能に当該基地局と当該移動局とが接続されているＬＡ接続状態であるか否かを表す状態通知を当該基地局から受信する第２の受信手段と、
前記状態通知に基づいて前記第２のＬＡ通信を実行するように前記第２の通信手段を制御する第２の制御手段と、
を備える、中継装置。
【０２２４】
（付記１９）
付記１８に記載の中継装置であって、
前記第２の制御手段は、前記基地局の状態が前記ＬＡ接続状態であることを前記状態通知が示す場合、前記第２のＬＡ通信を実行しないように前記第２の通信手段を制御する、中継装置。
【０２２５】
（付記２０）
付記１８又は付記１９に記載の中継装置であって、
前記第２の制御手段は、前記基地局の状態が前記ＬＡ接続状態でないことを前記状態通知が示す場合、前記第２のＬＡ通信を実行するように前記第２の通信手段を制御する、中継装置。
【０２２６】
（付記２１）
移動局と、当該移動局と無線により通信可能に構成された基地局と、当該基地局よりも上位側に配置され且つ当該基地局と通信可能に構成された中継装置と、を備える無線通信システムの前記移動局であって、
前記基地局と前記移動局とを接続する複数の無線通信路へパケットを分配することにより当該パケットを伝送する通信である第１のＬＡ（Ｌｉｎｋ  Ａｇｇｒｅｇａｔｉｏｎ）通信によって当該パケットが受信され且つ当該パケットとともに当該パケットに対する確認応答が既に送信されていることを表すフラグ情報が受信された場合、及び、前記中継装置と前記移動局とを接続する複数の通信路へパケットを分配することにより当該パケットを伝送する通信である第２のＬＡ通信によって前記パケットが受信された場合、当該パケットが前記移動局によって正しく受信されたことを表す確認応答を外部へ送信せず、前記パケットが前記第１のＬＡ通信によって受信され且つ当該パケットとともに前記フラグ情報が受信されなかった場合、当該確認応答を当該パケットに設定された送信元へ送信する第３の送信手段を備える、移動局。
【符号の説明】
【０２２７】
１      無線通信システム
１１    サーバ装置
２１    中継装置
２１０１  接続状態受信部
２１０２  制御部
２１０３，２１０３Ａ，２１０３Ｂ  通信処理部
２１０３ａ，２１０３ａＢ  プロトコル処理部
２１０３ｂ，２１０３ｂＢ  バッファ管理部
２１０３ｃ  パケット振分部
２１０３ｄ，２１０３ｄＡ  透過型プロキシ部
２１１  制御装置
２１２  記憶装置
２１３  第１の有線通信装置
２１４  第２の有線通信装置
３１，３２，３３，…  基地局
３１０１  接続状態判定部
３１０２  接続状態送信部
３１０３  制御部
３１０４，３１０４Ａ  通信処理部
３１０４ａ  パケット振分部
３１０４ｂ  バッファ管理部
３１１  制御装置
３１２  記憶装置
３１３  第１の無線通信装置
３１４  第２の無線通信装置
３１５  有線通信装置
３２１  制御装置
３２２  記憶装置
３２３  第１の無線通信装置
３２４  有線通信装置
３３１  制御装置
３３２  記憶装置
３３３  第２の無線通信装置
３３４  有線通信装置
４１    移動局
４１０１  通信処理部
４１０１ａ  プロトコル処理部
４１０１ｂ  ＡＣＫ処理部
４１１  制御装置
４１２  記憶装置
４１３  第１の無線通信装置
４１４  第２の無線通信装置
ＢＳＡ１，ＢＳＢ１，ＢＳＢ２，ＢＳＢ３，ＢＳＣ１  バス
ＮＷＡ１  サーバ側通信網
ＮＷＢ１  第１の基地局側通信網
ＮＷＢ２  第２の基地局側通信網
ＮＷＢ３  第３の基地局側通信網
【図１】
2015082730.tif 000003
【図２】
2015082730.tif 000004
【図３】
2015082730.tif 000005
【図４】
2015082730.tif 000006
【図５】
2015082730.tif 000007
【図６】
2015082730.tif 000008
【図７】
2015082730.tif 000009
【図８】
2015082730.tif 000010
【図９】
2015082730.tif 000011
【図１０】
2015082730.tif 000012
【図１１】
2015082730.tif 000013
【図１２】
2015082730.tif 000014
【図１３】
2015082730.tif 000015
【図１４】
2015082730.tif 000016
【図１５】
2015082730.tif 000017
【図１６】
2015082730.tif 000018
【図１７】
2015082730.tif 000019
【図１８】
2015082730.tif 000020
【図１９】
2015082730.tif 000021
【図２０】
2015082730.tif 000022
【図２１】
2015082730.tif 000023
【図２２】
2015082730.tif 000024
【図２３】
2015082730.tif 000025
【図２４】
2015082730.tif 000026